(57)【要約】      （修正有）【課題】ひとつのサブフレーム内で１６より多くのＣＳＩ−ＲＳポートを送受信する方法を提供する。【解決手段】ネットワークノードにおいて用いられる、チャネル状態情報参照信号（ＣＳＩ−ＲＳ）を送信する方法は、Ｍ個のＣＳＩ−ＲＳポートをひとつ以上の無線デバイスに送信することを含む。Ｍ個のポートのうちの一部は、第１物理リソースブロック（ＰＲＢ）を介して送信され、Ｍ個のポートのうちの残りは第２ＰＲＢを介して送信される。さらに、方法は、Ｍ個のＣＳＩ−ＲＳポートを無線サブフレームのリソース要素にマッピングすることを含む。Ｍ個のポートのうちの一部は、サブフレームの第１ＰＲＢにマッピングされ、Ｍ個のポートのうちの残りは、サブフレームの第２ＰＲＢにマッピングされる。【選択図】図２４
2020115655.tif 000002
【特許請求の範囲】
【請求項１】
ネットワークノードにおいて用いられる、チャネル状態情報参照信号（ＣＳＩ−ＲＳ）を送信する方法であって、前記方法は、
Ｍ個のＣＳＩ−ＲＳポートをひとつ以上の無線デバイスへ送信することであって、前記Ｍ個のポートのうちの一部が第１物理リソースブロック（ＰＲＢ）を介して送信され、前記Ｍ個のポートのうちの残りが第２ＰＲＢを介して送信される、送信すること（２４１４）を含む方法。
【請求項２】
前記Ｍ個のＣＳＩ−ＲＳポートを無線サブフレームのリソース要素にマッピングすることであって、前記Ｍ個のポートのうちの一部が前記サブフレームの第１ＰＲＢにマッピングされ、前記Ｍ個のポートのうちの残りが前記サブフレームの第２ＰＲＢにマッピングされる、マッピングすること（２４１２）をさらに含む請求項１に記載の方法。
【請求項３】
前記送信されたＣＳＩ−ＲＳポートのうちのひとつ以上に基づく測定チャネル状態情報を、無線デバイスから、受信すること（２４１６）をさらに含む請求項１または２に記載の方法。
【請求項４】
前記第１ＰＲＢがサブフレームの奇数番目ＰＲＢであり、前記第２ＰＲＢが前記サブフレームの偶数番目ＰＲＢである請求項１から３のいずれか一項に記載の方法。
【請求項５】
前記マッピングすることは、
前記無線サブフレームのリソース要素を複数の集約ＣＳＩ−ＲＳリソースへとグループ化することであって、各集約ＣＳＩ−ＲＳリソースがＰＲＢごとにＮｐｏｒｔｓＣＳＩ個のリソース要素を含み、ＮｐｏｒｔｓＣＳＩが２個、４個または８個のリソース要素を含む、グループ化することと、
前記複数の集約ＣＳＩ−ＲＳリソースのうちの（
2020115655.tif 000051
）個を合成することで前記Ｍ個のＣＳＩ−ＲＳポートを運ぶことであって、各集約ＣＳＩ−ＲＳリソース内で運ばれるアンテナポートの数（Ｑ）がＮｐｏｒｔｓＣＳＩの整数倍である、運ぶことと、を含む請求項２から４のいずれか一項に記載の方法。
【請求項６】
前記第１ＰＲＢで送信されるＣＳＩ−ＲＳポートの数が前記第２ＰＲＢで送信されるＣＳＩ−ＲＳポートの数と等しくない請求項１から５のいずれか一項に記載の方法。
【請求項７】
Ｍが１６よりも大きい請求項１から５のいずれか一項に記載の方法。
【請求項８】
Ｍが３２と等しく、
前記第１ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備えており、
前記第２ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備える請求項１から５のいずれか一項または請求項７に記載の方法。
【請求項９】
前記第１ＰＲＢおよび前記第２ＰＲＢの集約ＣＳＩ−ＲＳリソースの前記少なくとも二つのグループのそれぞれの前記８個のアンテナポートに亘って、８直交カバーコード（ＯＣＣ）分の長さが用いられる請求項９に記載の方法。
【請求項１０】
Ｍが２０と等しく、
前記第１ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備えており、
前記第２ＰＲＢの前記リソース要素が集約ＣＳＩ−ＲＳリソースのグループを少なくとも二つ備え、前記少なくとも二つのグループのそれぞれが４個のリソース要素を含み、前記少なくとも二つのグループのそれぞれが４個のアンテナポートを備える請求項１から７のいずれか一項に記載の方法。
【請求項１１】
前記第１リソースブロックの集約ＣＳＩ−ＲＳリソースの前記少なくとも三つのグループおよび前記第２リソースブロックの集約ＣＳＩ−ＲＳリソースの前記少なくとも二つのグループのそれぞれの前記４個のアンテナポートに亘って、４直交カバーコード（ＯＣＣ）分の長さが用いられる請求項１０に記載の方法。
【請求項１２】
Ｍが２８と等しく、
前記第１ＰＲＢの前記リソース要素が集約ＣＳＩ−ＲＳリソースのグループを少なくとも四つ備え、前記少なくとも四つのグループのそれぞれが４個のリソース要素を含み、前記少なくとも四つのグループのそれぞれが４個のアンテナポートを備えており、
前記第２ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備える請求項１から７のいずれか一項に記載の方法。
【請求項１３】
前記第１リソースブロックの集約ＣＳＩ−ＲＳリソースの前記少なくとも四つのグループおよび前記第２リソースブロックの集約ＣＳＩ−ＲＳリソースの前記少なくとも三つのグループのそれぞれの前記４個のアンテナポートに亘って、４直交カバーコード（ＯＣＣ）分の長さが用いられる請求項１２に記載の方法。
【請求項１４】
無線デバイスにおいて用いられる、チャネル状態情報参照信号（ＣＳＩ−ＲＳ）を受信する方法であって、前記方法は、
ある数ＭのＣＳＩ−ＲＳポートを受信することであって、前記Ｍ個のポートのうちの一部は第１物理リソースブロック（ＰＲＢ）を介して受信され、前記Ｍ個のポートのうちの残りは第２ＰＲＢを介して受信される、受信すること（２５１２）を含む方法。
【請求項１５】
前記Ｍ個のＣＳＩ−ＲＳポートが無線サブフレームのリソース要素にマッピングされ、前記Ｍ個のポートのうちの一部が前記サブフレームの第１ＰＲＢにマッピングされ、前記Ｍ個のポートのうちの残りが前記サブフレームの第２ＰＲＢにマッピングされる請求項１４に記載の方法。
【請求項１６】
前記受信されたＣＳＩ−ＲＳポートのチャネルを測定することで、有効チャネルを推定する（２５１４）ことと、
測定チャネル状態情報をネットワークノードに送信すること（２５１６）と、をさらに含む請求項１４または１５に記載の方法。
【請求項１７】
前記第１ＰＲＢがサブフレームの奇数番目ＰＲＢであり、前記第２ＰＲＢが前記サブフレームの偶数番目ＰＲＢである請求項１４から１６のいずれか一項に記載の方法。
【請求項１８】
前記マッピングすることは、
前記無線サブフレームのリソース要素を複数の集約ＣＳＩ−ＲＳリソースへとグループ化することであって、各集約ＣＳＩ−ＲＳリソースがＰＲＢごとにＮｐｏｒｔｓＣＳＩ個のリソース要素を含み、ＮｐｏｒｔｓＣＳＩが２個、４個または８個のリソース要素を含む、グループ化することと、
前記複数の集約ＣＳＩ−ＲＳリソースのうちの（
2020115655.tif 000052
）個を合成することで前記Ｍ個のＣＳＩ−ＲＳポートを運ぶことであって、各集約ＣＳＩ−ＲＳリソース内で運ばれるアンテナポートの数（Ｑ）がＮｐｏｒｔｓＣＳＩの整数倍である、運ぶことと、を含む請求項１５から１７のいずれか一項に記載の方法。
【請求項１９】
前記第１ＰＲＢで送信されるＣＳＩ−ＲＳポートの数が前記第２ＰＲＢで送信されるＣＳＩ−ＲＳポートの数と等しくない請求項１４から１８のいずれか一項に記載の方法。
【請求項２０】
Ｍが１６よりも大きい請求項１４から１８のいずれか一項に記載の方法。
【請求項２１】
Ｍが３２と等しく、
前記第１ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備えており、
前記第２ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備える請求項１４から１８のいずれか一項または請求項２０に記載の方法。
【請求項２２】
前記第１ＰＲＢおよび前記第２ＰＲＢの集約ＣＳＩ−ＲＳリソースの前記少なくとも二つのグループのそれぞれの前記８個のアンテナポートに亘って、８直交カバーコード（ＯＣＣ）分の長さが用いられる請求項２１に記載の方法。
【請求項２３】
Ｍが２０と等しく、
前記第１ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備えており、
前記第２ＰＲＢの前記リソース要素が集約ＣＳＩ−ＲＳリソースのグループを少なくとも二つ備え、前記少なくとも二つのグループのそれぞれが４個のリソース要素を含み、前記少なくとも二つのグループのそれぞれが４個のアンテナポートを備える請求項１４から２０のいずれか一項に記載の方法。
【請求項２４】
前記第１リソースブロックの集約ＣＳＩ−ＲＳリソースの前記少なくとも三つのグループおよび前記第２リソースブロックの集約ＣＳＩ−ＲＳリソースの前記少なくとも二つのグループのそれぞれの前記４個のアンテナポートに亘って、４直交カバーコード（ＯＣＣ）分の長さが用いられる請求項２３に記載の方法。
【請求項２５】
Ｍが２８と等しく、
前記第１ＰＲＢの前記リソース要素が集約ＣＳＩ−ＲＳリソースのグループを少なくとも四つ備え、前記少なくとも四つのグループのそれぞれが４個のリソース要素を含み、前記少なくとも四つのグループのそれぞれが４個のアンテナポートを備えており、
前記第２ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備える請求項１４から２０のいずれか一項に記載の方法。
【請求項２６】
前記第１リソースブロックの集約ＣＳＩ−ＲＳリソースの前記少なくとも四つのグループおよび前記第２リソースブロックの集約ＣＳＩ−ＲＳリソースの前記少なくとも三つのグループのそれぞれの前記４個のアンテナポートに亘って、４直交カバーコード（ＯＣＣ）分の長さが用いられる請求項２５に記載の方法。
【請求項２７】
チャネル状態情報参照信号（ＣＳＩ−ＲＳ）（１３５）を送信するよう動作可能なネットワークノード（１２０）であって、前記ネットワークノードが処理回路（２７００）を備え、前記処理回路が、
Ｍ個のＣＳＩ−ＲＳポートをひとつ以上の無線デバイス（１１０）へ送信することであって、前記Ｍ個のポートのうちの一部が第１物理リソースブロック（ＰＲＢ）（１６）を介して送信され、前記Ｍ個のポートのうちの残りが第２ＰＲＢ（１６）を介して送信される、送信することを行うよう動作可能であるネットワークノード。
【請求項２８】
前記処理回路は、前記Ｍ個のＣＳＩ−ＲＳポートを無線サブフレーム（１０）のリソース要素（１２）にマッピングすることであって、前記Ｍ個のポートのうちの一部が前記サブフレームの第１ＰＲＢ（１６）にマッピングされ、前記Ｍ個のポートのうちの残りが前記サブフレームの第２ＰＲＢ（１６）にマッピングされる、マッピングすることを行うよう動作可能である請求項２７に記載のネットワークノード。
【請求項２９】
前記処理回路はさらに、前記送信されたＣＳＩ−ＲＳポートのうちのひとつ以上に基づく測定チャネル状態情報を、無線デバイスから、受信することを行うよう動作可能である請求項２７または２８に記載のネットワークノード。
【請求項３０】
前記第１ＰＲＢがサブフレームの奇数番目ＰＲＢであり、前記第２ＰＲＢが前記サブフレームの偶数番目ＰＲＢである請求項２７から２９のいずれか一項に記載のネットワークノード。
【請求項３１】
前記処理回路は、前記Ｍ個のＣＳＩ−ＲＳポートを前記無線サブフレームのリソース要素に、
前記無線サブフレームのリソース要素を複数の集約ＣＳＩ−ＲＳリソースへとグループ化することであって、各集約ＣＳＩ−ＲＳリソースがＰＲＢごとにＮｐｏｒｔｓＣＳＩ個のリソース要素を含み、ＮｐｏｒｔｓＣＳＩが２個、４個または８個のリソース要素を含む、グループ化することと、
前記複数の集約ＣＳＩ−ＲＳリソースのうちの（
2020115655.tif 000053
）個を合成することで前記Ｍ個のＣＳＩ−ＲＳポートを運ぶことであって、各集約ＣＳＩ−ＲＳリソース内で運ばれるアンテナポートの数（Ｑ）がＮｐｏｒｔｓＣＳＩの整数倍である、運ぶことと、を行うことによってマッピングする請求項２８から３０のいずれか一項に記載のネットワークノード。
【請求項３２】
前記第１ＰＲＢで送信されるＣＳＩ−ＲＳポートの数が前記第２ＰＲＢで送信されるＣＳＩ−ＲＳポートの数と等しくない請求項２７から３１のいずれか一項に記載のネットワークノード。
【請求項３３】
Ｍが１６よりも大きい請求項２７から３２のいずれか一項に記載のネットワークノード。
【請求項３４】
Ｍが３２と等しく、
前記第１ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備えており、
前記第２ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備える請求項２７から３１のいずれか一項または請求項３３に記載のネットワークノード。
【請求項３５】
前記第１ＰＲＢおよび前記第２ＰＲＢの集約ＣＳＩ−ＲＳリソースの前記少なくとも二つのグループのそれぞれの前記８個のアンテナポートに亘って、８直交カバーコード（ＯＣＣ）分の長さが用いられる請求項３４に記載のネットワークノード。
【請求項３６】
Ｍが２０と等しく、
前記第１ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備えており、
前記第２ＰＲＢの前記リソース要素が集約ＣＳＩ−ＲＳリソースのグループを少なくとも二つ備え、前記少なくとも二つのグループのそれぞれが４個のリソース要素を含み、前記少なくとも二つのグループのそれぞれが４個のアンテナポートを備える請求項２７から３３のいずれか一項に記載のネットワークノード。
【請求項３７】
前記第１リソースブロックの集約ＣＳＩ−ＲＳリソースの前記少なくとも三つのグループおよび前記第２リソースブロックの集約ＣＳＩ−ＲＳリソースの前記少なくとも二つのグループのそれぞれの前記４個のアンテナポートに亘って、４直交カバーコード（ＯＣＣ）分の長さが用いられる請求項３６に記載のネットワークノード。
【請求項３８】
Ｍが２８と等しく、
前記第１ＰＲＢの前記リソース要素が集約ＣＳＩ−ＲＳリソースのグループを少なくとも四つ備え、前記少なくとも四つのグループのそれぞれが４個のリソース要素を含み、前記少なくとも四つのグループのそれぞれが４個のアンテナポートを備えており、
前記第２ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備える請求項２７から３３のいずれか一項に記載のネットワークノード。
【請求項３９】
前記第１リソースブロックの集約ＣＳＩ−ＲＳリソースの前記少なくとも四つのグループおよび前記第２リソースブロックの集約ＣＳＩ−ＲＳリソースの前記少なくとも三つのグループのそれぞれの前記４個のアンテナポートに亘って、４直交カバーコード（ＯＣＣ）分の長さが用いられる請求項３８に記載のネットワークノード。
【請求項４０】
チャネル状態情報参照信号（ＣＳＩ−ＲＳ）（１３５）を受信するよう動作可能な無線デバイス（１１０）であって、前記無線デバイスが処理回路（２６００）を備え、前記処理回路が、
ある数ＭのＣＳＩ−ＲＳポートを受信することであって、前記Ｍ個のポートのうちの一部は第１物理リソースブロック（ＰＲＢ）（１６）を介して受信され、前記Ｍ個のポートのうちの残りは第２ＰＲＢ（１６）を介して受信される、受信することを行うよう動作可能である無線デバイス。
【請求項４１】
前記Ｍ個のＣＳＩ−ＲＳポートが無線サブフレーム（１０）のリソース要素（１２）にマッピングされ、前記Ｍ個のポートのうちの一部が前記サブフレームの第１ＰＲＢ（１６）にマッピングされ、前記Ｍ個のポートのうちの残りが前記サブフレームの第２ＰＲＢ（１６）にマッピングされる請求項４０に記載の無線デバイス。
【請求項４２】
前記処理回路はさらに、
前記受信されたＣＳＩ−ＲＳポートのチャネルを測定することで、有効チャネルを推定することと、
測定チャネル状態情報をネットワークノードに送信することと、を行うよう動作可能である請求項４０または４１に記載の無線デバイス。
【請求項４３】
前記第１ＰＲＢがサブフレームの奇数番目ＰＲＢであり、前記第２ＰＲＢが前記サブフレームの偶数番目ＰＲＢである請求項４０から４２のいずれか一項に記載の無線デバイス。
【請求項４４】
前記マッピングすることは、
前記無線サブフレームのリソース要素を複数の集約ＣＳＩ−ＲＳリソースへとグループ化することであって、各集約ＣＳＩ−ＲＳリソースがＰＲＢごとにＮｐｏｒｔｓＣＳＩ個のリソース要素を含み、ＮｐｏｒｔｓＣＳＩが２個、４個または８個のリソース要素を含む、グループ化することと、
前記複数の集約ＣＳＩ−ＲＳリソースのうちの（
2020115655.tif 000054
）個を合成することで前記Ｍ個のＣＳＩ−ＲＳポートを運ぶことであって、各集約ＣＳＩ−ＲＳリソース内で運ばれるアンテナポートの数（Ｑ）がＮｐｏｒｔｓＣＳＩの整数倍である、運ぶことと、を含む請求項４１から４３のいずれか一項に記載の無線デバイス。
【請求項４５】
前記第１ＰＲＢで送信されるＣＳＩ−ＲＳポートの数が前記第２ＰＲＢで送信されるＣＳＩ−ＲＳポートの数と等しくない請求項４０から４４のいずれか一項に記載の無線デバイス。
【請求項４６】
Ｍが１６よりも大きい請求項４０から４５のいずれか一項に記載の無線デバイス。
【請求項４７】
Ｍが３２と等しく、
前記第１ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備えており、
前記第２ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備える請求項４０から４４のいずれか一項または請求項４６に記載の無線デバイス。
【請求項４８】
前記第１ＰＲＢおよび前記第２ＰＲＢの集約ＣＳＩ−ＲＳリソースの前記少なくとも二つのグループのそれぞれの前記８個のアンテナポートに亘って、８直交カバーコード（ＯＣＣ）分の長さが用いられる請求項４７に記載の無線デバイス。
【請求項４９】
Ｍが２０と等しく、
前記第１ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備えており、
前記第２ＰＲＢの前記リソース要素が集約ＣＳＩ−ＲＳリソースのグループを少なくとも二つ備え、前記少なくとも二つのグループのそれぞれが４個のリソース要素を含み、前記少なくとも二つのグループのそれぞれが４個のアンテナポートを備える請求項４０から４６のいずれか一項に記載の無線デバイス。
【請求項５０】
前記第１リソースブロックの集約ＣＳＩ−ＲＳリソースの前記少なくとも三つのグループおよび前記第２リソースブロックの集約ＣＳＩ−ＲＳリソースの前記少なくとも二つのグループのそれぞれの前記４個のアンテナポートに亘って、４直交カバーコード（ＯＣＣ）分の長さが用いられる請求項４９に記載の無線デバイス。
【請求項５１】
Ｍが２８と等しく、
前記第１ＰＲＢの前記リソース要素が集約ＣＳＩ−ＲＳリソースのグループを少なくとも四つ備え、前記少なくとも四つのグループのそれぞれが４個のリソース要素を含み、前記少なくとも四つのグループのそれぞれが４個のアンテナポートを備えており、
前記第２ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備える請求項４０から４６のいずれか一項に記載の無線デバイス。
【請求項５２】
前記第１リソースブロックの集約ＣＳＩ−ＲＳリソースの前記少なくとも四つのグループおよび前記第２リソースブロックの集約ＣＳＩ−ＲＳリソースの前記少なくとも三つのグループのそれぞれの前記４個のアンテナポートに亘って、４直交カバーコード（ＯＣＣ）分の長さが用いられる請求項５１に記載の無線デバイス。
【請求項５３】
チャネル状態情報参照信号（ＣＳＩ−ＲＳ）（１３５）を送信するよう動作可能なネットワークノード（１２０）であって、前記ネットワークノードが送信モジュール（２７５４）を備え、
前記送信モジュールが、Ｍ個のＣＳＩ−ＲＳポートをひとつ以上の無線デバイス（１１０）へ送信することであって、前記Ｍ個のポートのうちの一部が第１物理リソースブロック（ＰＲＢ）（１６）を介して送信され、前記Ｍ個のポートのうちの残りが第２ＰＲＢ（１６）を介して送信される、送信することを行うよう動作可能であるネットワークノード。
【請求項５４】
チャネル状態情報参照信号（ＣＳＩ−ＲＳ）（１３５）を受信するよう動作可能な無線デバイス（１１０）であって、前記無線デバイスが受信モジュール（２６５４）を備え、
前記受信モジュールが、ある数ＭのＣＳＩ−ＲＳポートを受信することであって、前記Ｍ個のポートのうちの一部は第１物理リソースブロック（ＰＲＢ）（１６）を介して受信され、前記Ｍ個のポートのうちの残りは第２ＰＲＢ（１６）を介して受信される、受信することを行うよう動作可能である無線デバイス。
【発明の詳細な説明】
【技術分野】
【０００１】
特定の実施の形態は無線通信に向けられ、より具体的には、低減密度チャネル状態情報参照信号（ＣＳＩ−ＲＳ）に向けられる。
【背景技術】
【０００２】
第三世代パートナーシッププロジェクト（３ＧＰＰ）ロングタームエボリューション（ＬＴＥ）は、ダウンリンクにおいて直交周波数分割多重（ＯＦＤＭ）を用い、そこでは各ダウンリンクシンボルがＯＦＤＭシンボルと称されてもよく、アップリンクにおいて離散フーリエ変換（ＤＦＴ）−拡散ＯＦＤＭを用い、そこでは各アップリンクシンボルがＳＣ−ＦＤＭＡシンボルと称されてもよい。図１に示されるように、基本的なＬＴＥダウンリンクの物理リソースは時間−周波数グリッドを含む。
【０００３】
次世代モバイル無線通信システム（５ＧまたはＮＲ）は様々なユースケースや様々な利用シナリオをサポートする。後者は、今日のＬＴＥと同様の低周波数（数百ＭＨｚ）と超高周波（数十ＧＨｚのミリ波）との両方での利用を含む。高周波では、伝搬特性により、良好なカバレッジを達成することが困難となっている。カバレッジ問題に対するひとつの解は、典型的にはアナログ的に、高利得ビームフォーミングを用いることで十分なリンクバジェットを達成することである。ビームフォーミングはまた低周波でも利用可能であり（典型的にはデジタルビームフォーミング）、既に規格化された３ＧＰＰ  ＬＴＥシステム（４Ｇ）と性質として似たものとなることが期待されている。
【０００４】
図１は、例示的なダウンリンク無線サブフレームを示す。水平軸は時刻を表し、他の軸は周波数を表す。無線サブフレーム１０はリソース要素１２を含む。各リソース要素１２は、ひとつのＯＦＤＭシンボル間隔中のひとつのＯＦＤＭサブキャリアに対応する。時間ドメインにおいて、ＬＴＥダウンリンク伝送は無線フレームにまとめられてもよい。
【０００５】
ＬＴＥおよびＮＲはダウンリンクにおいてＯＦＤＭを用い、アップリンクにおいてＤＦＴ拡散ＯＦＤＭまたはＯＦＤＭを用いる。したがって、基本的なＬＴＥまたはＮＲダウンリンクの物理リソースを、図１に示されるように、時間−周波数グリッドとして見ることができ、そこでは、各リソース要素がひとつのＯＦＤＭシンボル間隔中のひとつのＯＦＤＭサブキャリアに対応する。図１には、サブキャリアスペーシングとしてΔｆ＝１５ｋＨｚが示されているが、ＮＲでは異なるサブキャリアスペーシング値がサポートされる。ＮＲでサポートされるサブキャリアスペーシング値（異なる数理とも称される）はΔｆ＝（１５×２α）ｋＨｚで与えられ、ここでαは非負の整数である。
【０００６】
図２は、例示的な無線フレームを示す。無線フレーム１４はサブフレーム１０を含む。ＬＴＥでは、各無線フレーム１４は１０ｍｓであり、１０個の長さTsubframe = １ msの同サイズのサブフレーム１０からなる。ＬＴＥでは、通常のサイクリックプレフィックスについて、ひとつのサブフレームは１４個のＯＦＤＭシンボルからなり、各シンボルの継続期間は約７１．４μｓである。ＮＲでは、用いられる数理によらず、サブフレームの長さは１ｍｓに固定されている。ＮＲでは、スロットごとに１４個のＯＦＤＭシンボルを仮定した場合、（１５×２α）ｋＨｚの数理のスロット継続期間は１／２αｍｓによって与えられる。そして、サブフレームごとのスロット数は数理に依存する。
【０００７】
ユーザには、所定の時間、特定の数のサブキャリアが割り当てられる。これらは物理リソースブロック（ＰＲＢ）と称される。したがって、ＰＲＢは時間次元および周波数次元の両方を有する。ＬＴＥでは、リソースブロックは時間ドメインにおいてひとつのスロット（０．５ｍｓ）に対応し、周波数ドメインにおいて１２個の連続的なサブキャリアに対応する。リソースブロックは周波数ドメインにおいて番号付けされ、システム帯域の一端から０で開始する。ＮＲについては、リソースブロックは周波数において１２個のサブキャリアであるが、時間ドメインにおいてはひとつ以上のスロットに展開してもよい。
【０００８】
ダウンリンク伝送は動的にスケジュールされる。すなわち、各サブフレームにおいて、基地局は、どの端末にデータを伝送するかについての、および、そのデータがどのリソースブロックで伝送されるかについての制御情報を現在のダウンリンクサブフレームにおいて伝送する。制御シグナリングは典型的には、各サブフレームにおける最初の１、２、３または４つのＯＦＤＭシンボルで伝送される。
【０００９】
図３は、例示的なダウンリンクサブフレームを示す。サブフレーム１０は参照シンボルと制御シグナリングとを含む。図示の例では、制御領域は３つのＯＦＤＭシンボルを含む。参照シンボルはセル特定参照シンボル（ＣＲＳ）を含む。ＣＲＳは、細かい時間および周波数同期と所定の伝送モードについてのチャネル推定とを含む複数の機能をサポートしてもよい。
【００１０】
ＬＴＥはコードブックベースのプレコーディングを含む。マルチアンテナ技術は、無線通信システムのデータレートおよび信頼性を顕著に増大させうる。送信器および受信器の両方が複数のアンテナを備える場合、すなわち複数入力複数出力（ＭＩＭＯ）通信チャネルが実現する場合、性能が特に改善する。そのようなシステムおよび／または関連技術はＭＩＭＯと総称される。
【００１１】
ＬＴＥ規格は強化されたＭＩＭＯサポートと共に現在発展している。ＬＴＥにおけるコアコンポーネントはＭＩＭＯアンテナ展開およびＭＩＭＯ関連技術のサポートである。現在、ＬＴＥ−アドバンストは、チャネル依存プレコーディングを伴う８つの送信アンテナポートについての８レイヤ空間多重モードをサポートする。ＬＴＥ−アドバンストプロは、チャネル依存プレコーディングを伴う８つ／１２こ／１６この送信アンテナポートを伴う二次元／一次元ポートレイアウトのための８レイヤ空間多重サポートを追加する。空間多重モードは好適なチャネル条件における高いデータレートに適用される。図４は、例示的な空間多重動作を示す。
【００１２】
図４は、ＬＴＥにおけるプレコードされた空間多重モードの論理構成を示すブロック図である。シンボルベクトルｓを運ぶ情報にNT x rプレコーダ行列Ｗを乗じる。この行列はNT次元（NT個のアンテナポートに対応する）ベクトル空間の部分空間に送信エネルギを分布させるためのものである。
【００１３】
プレコーダ行列は典型的には可能なプレコーダ行列のコードブックから選択され、典型的にはプレコーダ行列インジケータ（ＰＭＩ）によって示される。ＰＭＩは、所与の数のシンボルストリームに対して、コードブック内のプレコード行列を一意に特定する。ｓ内のｒ個のシンボルのそれぞれはレイヤに対応し、ｒは送信ランクと称される。複数のシンボルが同じ時間／周波数リソース要素（ＴＦＲＥ）を介して同時に伝送されうるので、空間多重が達成される。シンボルの数ｒは典型的には現在のチャネル特性に適するように適合される。
【００１４】
ＬＴＥはダウンリンクにおいてＯＦＤＭ（かつ、アップリンクにおいてＤＦＴプレコードされたＯＦＤＭ）を用いる。したがって、サブキャリアｎ（または代替的にはデータＴＦＲＥ数ｎ）上の所定のＴＦＲＥに対する受信されたNR x 1ベクトルｙｎは以下によってモデル化される。
2020115655.tif 000003
式１
ここで、ｅｎはノイズ／干渉ベクトルである。プレコーダＷは、周波数に亘って一定である広帯域プレコーダであってもよいし、周波数選択的であってもよい。
【００１５】
多くの場合、プレコーダ行列はNRxNTＭＩＭＯチャネル行列Ｈｎの特性をマッチさせるよう選択され、これはチャネル依存プレコーディングと称されてもよい。これはまた、閉ループプレコーディングとよく称され、基本的には、送信エネルギの大部分をＵＥへ運ぶ意味で強力な部分空間へと送信エネルギを集中させようとするものである。加えて、プレコーダ行列はまた、チャネルを直交化するよう選択されてもよい。これは、ＵＥにおける適切な線形等化の後、レイヤ間干渉が低減されることを意味する。
【００１６】
送信ランク、およびしたがって空間多重されたレイヤの数、は、プレコーダの列の数に反映される。効率的なパフォーマンスのため、送信ランクはチャネル特性にマッチするよう選択されてもよい。
【００１７】
各アンテナ要素が独立した位相制御および振幅制御を有する二次元アンテナアレイは、垂直次元および水平次元の両方におけるビームフォーミングを可能とする。そのようなアンテナアレイは、水平次元に対応するアンテナ列の数Ｎｈと、垂直次元に対応するアンテナ行の数Ｎｖと、異なる偏波に対応する次元の数Ｎｐと、によって（部分的に）記述されてもよい。したがって、アンテナ要素の総数はＮ＝ＮｈＮｖＮｐである。Ｎｈ＝４かつＮｖ＝８のときのアンテナの例は図５に示される。さらに、アンテナ要素は交差偏波アンテナ要素であり、これはＮｐ＝２を意味する。そのようなアンテナは、交差偏波アンテナ要素を伴う８×４アンテナアレイと称されてもよい。
【００１８】
図５は、例示的な交差偏波アンテナアレイを示す。特に、例示的な説明は、交差偏波アンテナ要素（Ｎｐ＝２)の二次元アンテナアレイを含み、これはＮｈ＝４水平アンテナ要素とＮｖ＝８垂直アンテナ要素とを伴う。図の右側は、２つの垂直ポートと４つの水平ポートとを伴う実際のポートレイアウトを示す。これは、例えば、４つの垂直アンテナ要素によって各ポートを仮想化することによって得られ得る。したがって、交差偏波ポートが存在すると仮定すると、本例ではＵＥは１６個のアンテナポートを測定するであろう。
【００１９】
しかしながら、アンテナアレイにおける実際の要素の数はＵＥに知られていなくてもよい。むしろ、ＵＥはアンテナポートを認識してもよく、そこでは各ポートは後に詳述されるＣＳＩ（チャネル状態情報）参照信号に対応する。したがって、ＵＥはこれらのポートのそれぞれからチャネルを測定することができる。したがって、二次元ポートレイアウトは、水平次元のアンテナポートの数Ｍｈと、垂直次元に対応するアンテナ行の数Ｍｖと、異なる偏波に対応する次元の数Ｍｐと、によって記述されてもよい。したがって、アンテナポートの総数はＭ＝ＭｈＭｖＭｐである。これらのポートの、Ｎアンテナ要素へのマッピングはｅＮＢ実装事項であるから、必ずしもＵＥに知られている必要は無い。ＵＥがＮの値を知らない場合さえありうる。それはポートの数Ｍの値のみ知っていればよい。
【００２０】
ＬＴＥ  Ｒｅｌ−１２  ＵＥおよびそれより前は、２個、４個または８個のアンテナポートを伴う一次元ポートレイアウトについてのコードブックフィードバックのみをサポートする。したがって、これらのポートが一直線に並ぶ前提でコードブックが設計されている。ＬＴＥ  Ｒｅｌ−１３は８個、１２個または１６個のアンテナポートの場合について、二次元ポートレイアウトのコードブックを規定する。加えて、ＬＴＥ  Ｒｅｌ−１３は１６個のアンテナポートの場合について、一次元ポートレイアウトのコードブックを規定する。二次元ポートレイアウトについて規定されたＲｅｌ−１３コードブックは、アンテナポートの水平アレイおよび垂直アレイ用に調整されたプレコーダの組み合わせとして解釈されうる。これは、プレコーダ（のうちの少なくとも一部）が以下のものの関数として記述されうることを意味する。
2020115655.tif 000004
式２
ここで
2020115655.tif 000005
式３
【００２１】
式２および式３において、パラメータＮ１およびＮ２はそれぞれ第１次元および第２次元のポートの数を示す。一次元ポートレイアウトについて、式３のＮ２＝１およびｕｍは１になる。第１次元は水平次元または垂直次元のいずれか一方でありえ、第２次元は他方の次元を表す。言い換えると、図５の記載を用いると、我々は以下の二つの可能性を有しうる：（１）Ｎ１＝ＭｈおよびＮ２＝Ｍｖ、（２）Ｎ１＝ＭｖおよびＮ２＝Ｍｈ。
【００２２】
式２および式３におけるＯ１およびＯ２パラメータはそれぞれ、次元１および次元２におけるビーム空間オーバサンプリングファクタを表す。Ｎ１、Ｎ２、Ｏ１およびＯ２の値はＲＲＣシグナリングによって設定される。所与の数のＣＳＩ−ＲＳポートについての（Ｏ１、Ｏ２）および（Ｎ１、Ｎ２）のサポートされる設定は、3GPP TS 36.213の表7.2.4-17に与えられ、それは表１に再掲される。
表１：（Ｏ１、Ｏ２）および（Ｎ１、Ｎ２）のサポートされる設定 
2020115655.tif 000006
【００２３】
式２において量νｌ、ｍを用いて定義されるＬＴＥ  Ｒｅｌ−１３コードブックの詳細は、3GPP TS 36.213の表7.2.4-10、7.2.4-11、7.2.4-12、7.2.4-13、7.2.4-14、7.2.4-15、7.2.4-16、7.2.4-17に見出されうる。
【００２４】
ＬＴＥリリース１０は、チャネル状態情報を推定するための新たな参照シンボルシーケンスを導入した。それは非ゼロ電力チャネル状態情報参照シンボル（ＮＺＰ  ＣＳＩ−ＲＳ）と称される。
【００２５】
ＮＺＰ  ＣＳＩ−ＲＳは、以前のリリースでその目的のために用いられていたセル特定参照シンボル（ＣＲＳ）にＣＳＩフィードバックを基づかせることに対するいくつかの利点を提供する。一例として、ＮＺＰ  ＣＳＩ−ＲＳはデータ信号の復調のために用いられるものではなく、したがって同じ密度を要求しない（すなわち、ＮＺＰ  ＣＳＩ−ＲＳのオーバヘッドはかなり小さい）。他の例として、ＮＺＰ  ＣＳＩ−ＲＳはＣＳＩフィードバック測定を設定するための柔軟な手段を提供する（例えば、どのＮＺＰ  ＣＳＩ−ＲＳリソースを測定するかを、ＵＥ特定的な態様で設定することができる）。
【００２６】
ＮＺＰ  ＣＳＩ−ＲＳを測定することで、ＵＥはそのＮＺＰ  ＣＳＩ−ＲＳが伝搬している有効チャネルを、無線伝搬チャネルおよびアンテナ利得を含めて推定することができる。数学的により厳密には、これは、既知のＮＺＰ  ＣＳＩ−ＲＳ信号ｘが送信される場合、ＵＥは送信信号と受信信号（すなわち、有効チャネル）との間のカップリングを推定することができることを意味する。したがって、送信において仮想化が行われていない場合、受信信号ｙは以下のように表されうる。
2020115655.tif 000007
式４
また、ＵＥは有効チャネルＨを推定できる。
【００２７】
ＬＴＥ  Ｒｅｌ．１１  ＵＥでは、８個までのＮＺＰ  ＣＳＩ−ＲＳポートを設定可能である。したがって、ＬＴＥ  Ｒｅｌ−１１では、ＵＥは８個までの送信アンテナポートのチャネルを推定できる。
【００２８】
ＬＴＥ  Ｒｅｌ−１２まで、ＮＺＰ  ＣＳＩ−ＲＳは二つの連続したリソース要素に二つのアンテナポートを重ねるために、長さ２の直交カバーコード（ＯＣＣ）を用いる。あるいはまた、ＯＣＣは符号分割多重（ＣＤＭ）とも称される。
【００２９】
多くの異なるＮＺＰ  ＣＳＩ−ＲＳパターンが利用可能である。図６に例が示される。
【００３０】
図６は、２個、４個および８個のアンテナポートについて、ＣＳＩ−ＲＳの可能な位置を示す、リソースブロックペアを伴うリソース要素グリッドを示す。各リソース要素グリッドはひとつのＰＲＢ１６を表す。水平軸は時間ドメインを表し、垂直軸は周波数ドメインを表す。
【００３１】
２つのＣＳＩ−ＲＳアンテナポートについて、図６は、ひとつのサブフレーム内に２０個の異なるパターン（すなわち、０、１と付されたリソース要素のペアが２０個）を示す。ひとつの例示的なパターンはクロスハッチングで示される。
【００３２】
４つのＣＳＩ−ＲＳアンテナポートについて、対応するパターンの数は１０である（すなわち、０−３と付されたリソース要素のグループが１０個であり、そこでは、同じグループ内のリソース要素ペア０、１およびリソース要素ペア２、３が周波数ドメインにおいて６リソース要素だけ離されている）。ひとつの例示的なパターンはクロスハッチングで示される。
【００３３】
８つのＣＳＩ−ＲＳアンテナポートについて、対応するパターンの数は５である（すなわち、０-７と付されたリソース要素のグループが５個であり、そこでは、同じグループ内のリソース要素ペア０、１およびリソース要素ペア２、３が周波数ドメインにおいて６リソース要素だけ離されており、同じグループ内のリソース要素ペア４、５およびリソース要素ペア６、７が周波数ドメインにおいて６リソース要素だけ離されている）。ひとつの例示的なパターンはクロスハッチングで示される。
【００３４】
示される例は周波数分割複信（ＦＤＤ）用のものである。時分割複信（ＴＤＤ）について、追加的なＣＳＩ−ＲＳパターンが利用可能である。
【００３５】
ＣＳＩ−ＲＳの参照信号シーケンスは3GPP TS 36.211のセクション6.10.5.1において以下のように定義される。
2020115655.tif 000008
式５
ここで、ｎｓは無線フレーム内のスロット番号であり、ｌはそのスロット内のＯＦＤＭシンボル番号である。疑似ランダムシーケンスｃ（ｉ）は、3GPP TS 36.211のセクション7.2および6.10.5.1にしたがってそれぞれ生成され、初期化される。さらに、式５において、ＮＲＢｍａｘ，ＤＬ＝１１０は3GPP TS 36.211によってサポートされるダウンリンク帯域幅設定の最大のものである。
【００３６】
ＬＴＥ  Ｒｅｌ−１３では、ＮＺＰ  ＣＳＩ−ＲＳリソースは１２ポートおよび１６ポートを含むよう拡張される。そのようなＲｅｌ−１３  ＮＺＰ  ＣＳＩ−ＲＳリソースは三つの従来の４ポートＣＳＩ−ＲＳリソースを集約すること（で１２ポートＮＺＰ  ＣＳＩ−ＲＳリソースを形成すること）によって、または、二つの従来の８ポートＣＳＩ−ＲＳリソースを集約すること（で１６ポートＮＺＰ  ＣＳＩ−ＲＳリソースを形成すること）によって、得られる。集約されたＮＺＰ  ＣＳＩ−ＲＳリソースの全ては同じサブフレームに置かれる。１２ポートおよび１６ポートＮＺＰ  ＣＳＩ−ＲＳリソースを形成する例が図７Ａ、図７Ｂにそれぞれ示されている。
【００３７】
図７Ａおよび７Ｂは、１２個および１６個のアンテナポートについて、それぞれ、ＣＳＩ−ＲＳの可能な位置を示す、リソースブロックペアを伴うリソース要素グリッドを示す。水平軸は時間ドメインを表し、垂直軸は周波数ドメインを表す。
【００３８】
図７Ａは、三つの４ポートリソースを集めて１２ポートＮＺＰ  ＣＳＩ−ＲＳリソースを形成する例を示す。同じ４ポートリソースの各リソース要素には同じ符号が付される（例えば、１が付された四つのリソースがひとつの４ポートリソースを形成し、２が付された四つのリソースが第２の４ポートリソースを形成し、３が付された四つのリソースが第３の４ポートリソースを形成する）。また、三つの集約された４ポートリソースはひとつの１２ポートリソースを形成する。
【００３９】
図７Ｂは、二つの８ポートリソースを集めて１６ポートＮＺＰ  ＣＳＩ−ＲＳリソースを形成する例を示す。同じ８ポートリソースの各リソース要素には同じ符号が付される（例えば、１が付された八つのリソースがひとつの８ポートリソースを形成し、２が付された八つのリソースが第２の８ポートリソースを形成する）。また、二つの集約された８ポートリソースはひとつの１６ポートリソースを形成する。
【００４０】
所与のサブフレームにおいて、三つの１２ポートリソース構成（すなわち、１０個の４ポートリソースのうち９個が使用される）および二つの１６ポートリソース構成（すなわち、５つの８ポートリソースのうち４つが使用される）が可能である。集約されたＮＺＰ  ＣＳＩ−ＲＳリソースについて、以下のポート番号付けが用いられる。１６個のＮＺＰ  ＣＳＩ−ＲＳポートについて、集約されたポート番号は15, 16, 17, 18, 19, 20, 21, 22, 23, 24, 25, 26, 27, 28, 29および30である。１２個のＮＺＰ  ＣＳＩ−ＲＳポートについて、集約されたポート番号は15, 16, 17, 18, 19, 20, 21, 22, 23, 24, 25および26である。
【００４１】
加えて、Ｒｅｌ−１３  ＮＺＰ  ＣＳＩ−ＲＳ設計は二つの異なるＯＣＣ長をサポートする。１２ポートおよび１６ポートＮＺＰ  ＣＳＩ−ＲＳの両方についてＯＣＣ長２および４を用いることで、アンテナポートの多重が可能である。図８および図９には、ＯＣＣ長２を用いた例が示される。図１０および図１１には、ＯＣＣ長４を用いた例が示される。
【００４２】
図８は、ＯＣＣ長２を伴う１２ポート用の例示的ＮＺＰ  ＣＳＩ−ＲＳ設計でのリソース要素グリッドを示す。異なる４ポートＮＺＰ  ＣＳＩ−ＲＳリソースは文字Ａ−Ｊにより表される。例えば、４ポートリソースＡ、ＦおよびＪを集めてひとつの１２ポートＮＺＰ  ＣＳＩ−ＲＳリソースを形成することができる。長さ２のＯＣＣは、同じサブキャリアインデクスおよび隣接するＯＦＤＭシンボルインデクスを伴う二つのリソース要素に亘って適用される（例えば、スロット０におけるサブキャリアインデクス９およびＯＦＤＭシンボルインデクス５−６を伴うリソース要素にＯＣＣ２を適用する）。
【００４３】
図９は、ＯＣＣ長２を伴う１６ポート用の例示的ＮＺＰ  ＣＳＩ−ＲＳ設計でのリソース要素グリッドを示す。異なる８ポートＮＺＰ  ＣＳＩ−ＲＳリソースは数字（例えば０−４）により表される。８ポートリソースを構成するリソースペアは文字（例えばＡ−Ｄ）により表される。例えば、リソースペアＡ０、Ｂ０、Ｃ０およびＤ０はひとつの８ポートＮＺＰ  ＣＳＩ−ＲＳリソースを形成する。リソースペアＡ３、Ｂ３、Ｃ３およびＤ３は別の８ポートＮＺＰ  ＣＳＩ−ＲＳリソースを形成する。例えば、８ポートＮＺＰ  ＣＳＩ−ＲＳリソース０および３を集めてひとつの１６ポートＮＺＰ  ＣＳＩ−ＲＳリソースを形成することができる。長さ２のＯＣＣは、同じサブキャリアインデクスおよび隣接するＯＦＤＭシンボルインデクスを伴う二つのリソース要素に亘って適用される（例えば、スロット1におけるサブキャリアインデクス7およびＯＦＤＭシンボルインデクス2-3を伴うリソース要素にＯＣＣ２を適用する）。
【００４４】
ＯＣＣ長が２の場合（すなわち、高次レイヤパラメータ「cdmType」がcdm2に設定される場合または「cdmType」がＥＵＴＲＡＮにより設定されない場合−さらなる詳細については3GPP TS 36.331参照）、式５の参照信号シーケンス
2020115655.tif 000009
の、アンテナポートp上の参照シンボルとして用いられる複素数値変調シンボルａｋ，ｌ（ｐ）へのマッピングは以下のように定義される：
2020115655.tif 000010
式６
ここで、
2020115655.tif 000011
式７
【００４５】
式６および式７において、ＮＲＢＤＬはダウンリンク伝送帯域幅を表し、インデクスk'およびl'はサブキャリアインデクス（各ＰＲＢの底から始まる）およびＯＦＤＭシンボルインデクス（各スロットの右から始まる）を示す。異なる（k',l'）ペアの、異なるＣＳＩ−ＲＳリソース構成へのマッピングは表２で与えられる。ＯＣＣ長が２である場合の量p'はアンテナポート番号pと、以下のように関連する。
・８個までのアンテナポートを用いるＣＳＩ−ＲＳについてp=p'
・８個より多くのアンテナポートを用いるＣＳＩ−ＲＳについて、高次レイヤパラメータ「cdmType」がcdm2に設定される場合、
2020115655.tif 000012
式８
ここで、ｉ∈｛０、１、...、ＮｒｅｓＣＳＩ−１｝はＣＳＩリソース番号であり、ＮｒｅｓＣＳＩおよびＮｐｏｒｔｓＣＳＩはそれぞれ集約されたＣＳＩ−ＲＳリソースの数と、集約されたＣＳＩ−ＲＳリソースごとのアンテナポートの数と、を示す。上述の通り、１２ポートおよび１６ポートＮＺＰ  ＣＳＩ−ＲＳ設計の場合のＮｒｅｓＣＳＩおよびＮｐｏｒｔｓＣＳＩの許される値は表３で与えられる。
表２：通常のサイクリックプレフィックスについて、ＣＳＩ参照信号設定から(k',l')へのマッピング−3GPP TS 36.211の表6.10.5.2-1から取られた
2020115655.tif 000013
注意： n's=nsmod2。通常サブフレームの設定０−１９はフレーム構造タイプ１、２および３について利用可能である。設定２０−３１および特別サブフレームの設定はフレーム構造タイプ２についてのみ利用可能である。
表３：ＣＳＩ−ＲＳリソースの集約−3GPP TS 36.211の表6.10.5-1から取られた
2020115655.tif 000014
【００４６】
図１０は、ＯＣＣ長４を伴う１２ポート用の例示的ＮＺＰ  ＣＳＩ−ＲＳ設計でのリソース要素グリッドを示す。異なる４ポートＮＺＰ  ＣＳＩ−ＲＳリソースは文字Ａ−Ｊにより表される。例えば、４ポートリソースＡ、ＦおよびＪを集めてひとつの１２ポートＮＺＰ  ＣＳＩ−ＲＳリソースを形成することができる。ＣＤＭグループが従来の４ポートＣＳＩ−ＲＳをマッピングするために用いられる４つのリソース要素からなるＣＤＭグループ内で長さ４のＯＣＣが適用される。すなわち、同じ文字が付されたリソース要素はひとつのＣＤＭグループを構成する。
【００４７】
図１１は、ＯＣＣ長４を伴う１６ポート用の例示的ＮＺＰ  ＣＳＩ−ＲＳ設計でのリソース要素グリッドを示す。異なる８ポートＮＺＰ  ＣＳＩ−ＲＳリソースは数字（例えば０−４）により表される。８ポートリソースを構成するリソースペアは文字（例えばＡ−Ｂ）により表される。例えば、Ａ０およびＢ０が付されたリソースペアはひとつの８ポートＮＺＰ  ＣＳＩ−ＲＳリソースを形成する。Ａ３およびＢ３が付されたリソースペアは別の８ポートＮＺＰ  ＣＳＩ−ＲＳリソースを形成する。例えば、８ポートＮＺＰ  ＣＳＩ−ＲＳリソース０および３を集めてひとつの１６ポートＮＺＰ  ＣＳＩ−ＲＳリソースを形成することができる。ＡおよびＢは、各８ポートリソース内のＣＤＭグループである。長さ４のＯＣＣは各ＣＤＭグループ内で適用される。
【００４８】
ＯＣＣ長が４の場合（すなわち、高次レイヤパラメータ「cdmType」がcdm4に設定される場合−さらなる詳細については3GPP TS 36.331参照）、式５の参照信号シーケンス
2020115655.tif 000015
の、アンテナポートｐ上の参照シンボルとして用いられる複素数値変調シンボルａｋ，ｌ（ｐ）へのマッピングは以下のように定義される：
2020115655.tif 000016
式９
ここで、
2020115655.tif 000017
式１０
【００４９】
式９および式１０において、ＮＲＢＤＬはダウンリンク伝送帯域幅を表し、ＮｐｏｒｔｓＣＳＩは集約されたＣＳＩ−ＲＳリソースごとのアンテナポートの数を示し、インデクスk'およびl'はサブキャリアインデクス（各ＲＢの底から始まる）およびＯＦＤＭシンボルインデクス（各スロットの右から始まる）を示す。異なる(k',l')ペアの、異なるＣＳＩ−ＲＳリソース構成へのマッピングは表２で与えられる。さらに、式９のwp'(i)は表４により与えられる。８個より多くのアンテナポートを用いるＣＳＩ−ＲＳについて、高次レイヤパラメータ「cdmType」がcdm4に設定される場合、アンテナポート番号p=iNportsCSI+p'、ここでＣＳＩ−ＲＳリソース番号ｉ∈｛０、１、...、ＮｒｅｓＣＳＩ−１｝についてp'∈{15,16,...,15+NportsCSI-1}。
表４：ＣＤＭ４のシーケンスwp'(i)−3GPP TS 36.211の表6.10.5.2-0から取られた
2020115655.tif 000018
【００５０】
ＬＴＥリリース１３  ＮＺＰ  ＣＳＩ−ＲＳ設計におけるサブフレーム内の異なる１２ポートおよび１６ポートＣＳＩ−ＲＳ設定の数はそれぞれ３つおよび２つである。すなわち、１２ポートの場合、三つの異なるＣＳＩ−ＲＳ設定を形成可能であり、ここで、各設定は三つの従来の４ポートＣＳＩ−ＲＳ設定を集約することによって形成される。これは、ひとつのＰＲＢ内のＣＳＩ−ＲＳについて利用可能な４０個のＣＳＩ−ＲＳリソース要素のうち、３６個のＣＳＩ−ＲＳリソース要素を消費する。１６ポートの場合、二つの異なるＣＳＩ−ＲＳ設定を形成可能であり、ここで、各設定は二つの従来の８ポートＣＳＩ−ＲＳ設定を集約することによって形成される。これは、ひとつのＰＲＢ内のＣＳＩ−ＲＳについて利用可能な４０個のＣＳＩ−ＲＳリソース要素のうち、３２個のＣＳＩ−ＲＳリソース要素を消費する。
【００５１】
上述のＬＴＥ  ＮＺＰ  ＣＳＩ−ＲＳ設計は、より多くのＣＳＩ−ＲＳポートを含めるように設計を拡張する際の種々の課題を含む。一例として、従来のＬＴＥリリース（リリース１３を含んでそれまで）のＮＺＰ  ＣＳＩ−ＲＳ設計では、ＰＲＢごとのＣＳＩ−ＲＳリソース要素の数はＣＳＩ−ＲＳポートの数と等しい。例えば、１２ポートおよび１６ポートＣＳＩ−ＲＳ設計におけるＰＲＢごとのＣＳＩ−ＲＳリソース要素の数はそれぞれ１２および１６である。したがって、このアプローチのひとつの課題は、ＣＳＩ−ＲＳポートの数が１６を超えて増大する場合ＣＳＩ−ＲＳリソース要素のオーバヘッドが増大することである。
【００５２】
上述のＮＺＰ  ＣＳＩ−ＲＳ設計をより大きなＣＳＩ−ＲＳポート数へと拡張することに伴う別の課題は、サブフレーム内の利用可能なＣＳＩ−ＲＳ設定の数が１に低減されうることである。例えば、単に上述の方法に従うと、３２ポートＮＺＰ  ＣＳＩ−ＲＳ設計は、四つの従来の８ポートＣＳＩ−ＲＳ設定を集約することによって得られ得る。例えば、ＰＲＢごとに３２個のＣＳＩ−ＲＳリソース要素を用いることで３２ポートＮＺＰ  ＣＳＩ−ＲＳ設計を形成することは、４０個の利用可能なＣＳＩ−ＲＳリソース要素のうち３２個のＣＳＩ−ＲＳリソース要素を消費するであろう。その結果、このアプローチでは、サブフレーム内でただひとつの３２ポートＣＳＩ−ＲＳが設定されうる。これは、隣接セルにおいて同じ３２ポートＣＳＩ−ＲＳ設定が用いられる場合、チャネル状態情報推定にとって有害でありうる。
【００５３】
ひとつの可能な解は、隣接セルのＣＳＩ−ＲＳ伝送を異なるサブフレームにおいて有することである。これにより隣接セル間でのＣＳＩ−ＲＳ衝突が防がれるとしても、サービングセルのＣＳＩ−ＲＳ伝送は隣接セルからのＰＤＳＣＨ伝送と干渉しうる。低負荷条件ではこの干渉の影響はそれほどでもないかもしれないが、高負荷条件ではそれはより顕著となり得る。高負荷条件では、セルエッジのＵＥは、隣接セルのＰＤＳＣＨ伝送により引き起こされる、サービングセルＣＳＩ−ＲＳ伝送上の干渉で苦しむことがある（ＰＤＳＣＨはビームフォーミングされ、ＬＴＥ  Ｒｅｌ−１３  クラスＡ  ＣＳＩ−ＲＳにおいてＣＳＩ−ＲＳ伝送はビームフォーミングされていないものとする）。
【００５４】
隣接セルからのＰＤＳＣＨ干渉を避けるため、ゼロ電力ＣＳＩ−ＲＳ（ＺＰ  ＣＳＩ−ＲＳ）を隣接セルに設定することができる。しかしながら、より多くのポート（すなわち、３２ポート）を含むＣＳＩ−ＲＳ伝送について、ＺＰ  ＣＳＩ−ＲＳ伝送に伴うオーバヘッドは顕著に大きくなりうる。
【発明の概要】
【００５５】
本明細書に開示される実施の形態は、ひとつのサブフレーム内で１６より多くのＣＳＩ−ＲＳポートを送受信する解を含む。第１の例示的解では、ＮｒｅｓＣＳＩ個の集約された従来のＬＴＥ  ＣＳＩ−ＲＳリソースで１６より多くのＣＳＩ−ＲＳポートが送信され、ここでは、そのような各リソース内で送信されるポートの数Ｑは従来のＬＴＥ  ＣＳＩ−ＲＳ伝送におけるそのような各リソース内で許されるポートの数ＮｐｏｒｔｓＣＳＩの整数倍である。この解では、各ＣＳＩ−ＲＳリソース内のＱ個のＣＳＩ−ＲＳポートの伝送は、ＣＳＩ−ＲＳリソース内のＱ／ＮｐｏｒｔｓＣＳＩ個の隣接リソースブロックに亘って直交カバーコードを適用することによって達成される。
【００５６】
第２の例示的解では、ＮｒｅｓＣＳＩ個の集約された従来のＬＴＥ  ＣＳＩ−ＲＳリソースで１６より多くのＣＳＩ−ＲＳポートが送信され、ここでは、ＣＳＩ−ＲＳポートの総数の一部が偶数のリソースブロックを介して送信され、残りのＣＳＩ−ＲＳポートが奇数のリソースブロックを介して送信される。
【００５７】
第３の例示的解は、１６よりも多くのポートをサポートするＣＳＩ−ＲＳ伝送スキームにおいて従来のＵＥをサポートするのに適していてもよい。この例示的解では、ＣＳＩ−ＲＳポートは従来のＬＴＥ  ＣＳＩ−ＲＳリソースを集約することを介して達成され、ここでは、従来のＵＥは集約されたＣＳＩ−ＲＳリソースのうちのひとつでのＣＳＩ−ＲＳ伝送用に構成され、かつ、他の全ての集約されたＣＳＩ−ＲＳリソースにおいてゼロ電力ＣＳＩ−ＲＳとなるよう構成される。
【００５８】
ある実施の形態によると、ネットワークノードにおいて用いられる、チャネル状態情報参照信号（ＣＳＩ−ＲＳ）を送信する方法はＭ個のＣＳＩ−ＲＳポートをひとつ以上の無線デバイスに送信することを含む。Ｍ個のポートのうちの一部は第１物理リソースブロック（ＰＲＢ）（１６）を介して送信され、Ｍ個のポートのうちの残りは第２ＰＲＢを介して送信される。ネットワークノードは、Ｍ個のＣＳＩ−ＲＳポートを無線サブフレームのリソース要素にマッピングしてもよい。Ｍ個のポートのうちの一部はサブフレームの第１ＰＲＢにマッピングされてもよく、Ｍ個のポートのうちの残りはサブフレームの第２ＰＲＢにマッピングされてもよい。特定の実施の形態では、方法はさらに、前記送信されたＣＳＩ−ＲＳポートのうちのひとつ以上に基づく測定チャネル状態情報を、無線デバイスから、受信することを含む。前記第１ＰＲＢがサブフレームの奇数番目ＰＲＢであってもよく、前記第２ＰＲＢが前記サブフレームの偶数番目ＰＲＢであってもよい。
【００５９】
特定の実施の形態では、マッピングすることは、前記無線サブフレームのリソース要素を複数の集約ＣＳＩ−ＲＳリソースへとグループ化することを含む。各集約ＣＳＩ−ＲＳリソースはＰＲＢごとにＮｐｏｒｔｓＣＳＩ個のリソース要素を含み、ＮｐｏｒｔｓＣＳＩが２個、４個または８個のリソース要素を含む。マッピングすることはさらに、前記複数の集約されたＣＳＩ−ＲＳリソースのうちの複数個（
2020115655.tif 000019
）を合成することで前記Ｍ個のＣＳＩ−ＲＳポートを運ぶことを含む。各集約されたＣＳＩ−ＲＳリソース内で運ばれるアンテナポートの数（Ｑ）がＮｐｏｒｔｓＣＳＩの整数倍である。
【００６０】
特定の実施の形態では、Ｍは１６より大きい。例えば、Ｍが３２と等しくてもよい。前記第１ＰＲＢの前記リソース要素が集約されたＣＳＩ−ＲＳリソースのグループを少なくとも二つ備えてもよく、前記少なくとも二つのグループのそれぞれが８個のリソース要素を含み、前記少なくとも二つのグループのそれぞれが８個のアンテナポートを運ぶ。前記第２ＰＲＢの前記リソース要素が集約されたＣＳＩ−ＲＳリソースのグループを少なくとも二つ備えてもよく、前記少なくとも二つのグループのそれぞれが８個のリソース要素を含み、前記少なくとも二つのグループのそれぞれが８個のアンテナポートを運ぶ。前記第１ＰＲＢおよび前記第２ＰＲＢの集約ＣＳＩ−ＲＳリソースの前記少なくとも二つのグループのそれぞれの前記８個のアンテナポートに亘って、８直交カバーコード（ＯＣＣ）分の長さが用いられてもよい。
【００６１】
他の例では、Ｍが２０と等しくてもよい。前記第１ＰＲＢの前記リソース要素が集約されたＣＳＩ−ＲＳリソースのグループを少なくとも三つ備えてもよい。前記少なくとも三つのグループのそれぞれが４個のリソース要素を含み、前記少なくとも三つのグループのそれぞれが４個のアンテナポートを運ぶ。前記第２ＰＲＢの前記リソース要素が集約されたＣＳＩ−ＲＳリソースのグループを少なくとも二つ備え、前記少なくとも二つのグループのそれぞれが４個のリソース要素を含み、前記少なくとも二つのグループのそれぞれが４個のアンテナポートを運ぶ。前記第１リソースブロックの集約ＣＳＩ−ＲＳリソースの前記少なくとも三つのグループおよび前記第２リソースブロックの集約ＣＳＩ−ＲＳリソースの前記少なくとも二つのグループのそれぞれの前記４個のアンテナポートに亘って、４直交カバーコード（ＯＣＣ）分の長さが用いられてもよい。
【００６２】
他の例では、Ｍが２８と等しくてもよい。前記第１ＰＲＢの前記リソース要素が集約されたＣＳＩ−ＲＳリソースのグループを少なくとも四つ備えてもよく、前記少なくとも四つのグループのそれぞれが４個のリソース要素を含み、前記少なくとも四つのグループのそれぞれが４個のアンテナポートを運ぶ。前記第２ＰＲＢの前記リソース要素が集約されたＣＳＩ−ＲＳリソースのグループを少なくとも三つ備えてもよく、前記少なくとも三つのグループのそれぞれが４個のリソース要素を含み、前記少なくとも三つのグループのそれぞれが４個のアンテナポートを運ぶ。前記第１リソースブロックの集約ＣＳＩ−ＲＳリソースの前記少なくとも四つのグループおよび前記第２リソースブロックの集約ＣＳＩ−ＲＳリソースの前記少なくとも三つのグループのそれぞれの前記４個のアンテナポートに亘って、４直交カバーコード（ＯＣＣ）分の長さが用いられてもよい。
【００６３】
特定の実施の形態では、前記第１ＰＲＢで送信されるＣＳＩ−ＲＳポートの数が前記第２ＰＲＢで送信されるＣＳＩ−ＲＳポートの数と等しくない。
【００６４】
ある実施の形態によると、無線デバイスにおいて用いられる、ＣＳＩ−ＲＳを受信する方法は、Ｍ個のＣＳＩ−ＲＳポートを受信することを含む。Ｍ個のポートのうちの一部は第１ＰＲＢを介して受信され、Ｍ個のポートのうちの残りは第２ＰＲＢを介して受信される。特定の実施の形態では、Ｍ個のＣＳＩ−ＲＳポートは無線サブフレームのリソース要素にマッピングされる。Ｍ個のポートのうちの一部はサブフレームの第１ＰＲＢにマッピングされ、Ｍ個のポートのうちの残りはサブフレームの第２ＰＲＢにマッピングされる。方法はさらに、前記受信されたＣＳＩ−ＲＳポートのチャネルを測定することで、有効チャネルを推定することと、測定チャネル状態情報をネットワークノードに送信することと、を含む。Ｍは１６より大きい。
【００６５】
特定の実施の形態では、前記第１ＰＲＢがサブフレームの奇数番目ＰＲＢであり、前記第２ＰＲＢが前記サブフレームの偶数番目ＰＲＢである。マッピングすることは、前記無線サブフレームのリソース要素を複数の集約ＣＳＩ−ＲＳリソースへとグループ化することを含んでもよい。各集約ＣＳＩ−ＲＳリソースはＰＲＢごとにＮｐｏｒｔｓＣＳＩ個のリソース要素（例えば、２個、４個または８個のリソース要素）を含んでもよい。マッピングすることはさらに、前記複数の集約されたＣＳＩ−ＲＳリソースのうちの複数個（
2020115655.tif 000020
）を合成することで前記Ｍ個のＣＳＩ−ＲＳポートを運ぶことを含んでもよい。各集約されたＣＳＩ−ＲＳリソース内で運ばれるアンテナポートの数（Ｑ）がＮｐｏｒｔｓＣＳＩの整数倍である。
【００６６】
特定の実施の形態では、前記第１ＰＲＢで送信されるＣＳＩ−ＲＳポートの数が前記第２ＰＲＢで送信されるＣＳＩ−ＲＳポートの数と等しくない。
【００６７】
ある実施の形態によると、ＣＳＩ−ＲＳを送信するよう動作可能であるネットワークノードは処理回路を備える。処理回路は、Ｍ個のＣＳＩ−ＲＳポートをひとつ以上の無線デバイスへ送信するよう動作可能である。Ｍ個のポートのうちの一部は第１ＰＲＢを介して送信され、Ｍ個のポートのうちの残りは第２ＰＲＢを介して送信される。ある実施の形態では、処理回路は、Ｍ個のＣＳＩ−ＲＳポートを無線サブフレームのリソース要素にマッピングするよう動作可能である。Ｍ個のポートのうちの一部はサブフレームの第１ＰＲＢにマッピングされ、Ｍ個のポートのうちの残りはサブフレームの第２ＰＲＢにマッピングされる。処理回路はさらに、前記送信されたＣＳＩ−ＲＳポートのうちのひとつ以上に基づくチャネル推定を、無線デバイスから、受信するよう動作可能であってもよい。前記第１ＰＲＢがサブフレームの奇数番目ＰＲＢであってもよく、前記第２ＰＲＢが前記サブフレームの偶数番目ＰＲＢであってもよい。Ｍは１６より大きい。
【００６８】
特定の実施の形態では、処理回路は、前記無線サブフレームのリソース要素を複数の集約ＣＳＩ−ＲＳリソースへとグループ化することにより、Ｍ個のＣＳＩ−ＲＳポートを無線サブフレームのリソース要素にマッピングする。各集約ＣＳＩ−ＲＳリソースはＰＲＢごとにＮｐｏｒｔｓＣＳＩ個のリソース要素（例えば、２個、４個または８個のリソース要素）を含んでもよい。マッピングすることはさらに、前記複数の集約ＣＳＩ−ＲＳリソースのうちの（
2020115655.tif 000021
）個を合成することで前記Ｍ個のＣＳＩ−ＲＳポートを運ぶことであって、各集約ＣＳＩ−ＲＳリソース内で運ばれるアンテナポートの数（Ｑ）がＮｐｏｒｔｓＣＳＩの整数倍である、運ぶこととを含む。
【００６９】
特定の実施の形態では、前記第１ＰＲＢで送信されるＣＳＩ−ＲＳポートの数が前記第２ＰＲＢで送信されるＣＳＩ−ＲＳポートの数と等しくない。
【００７０】
ある実施の形態によると、ＣＳＩ−ＲＳを受信するよう動作可能である無線デバイスは処理回路を備える。処理回路は、ある数Ｍ個のＣＳＩ−ＲＳポートを受信するよう動作可能であり、前記Ｍ個のポートのうちの一部は第１ＰＲＢを介して受信され、前記Ｍ個のポートのうちの残りは第２ＰＲＢを介して受信される。ある実施の形態では、Ｍ個のＣＳＩ−ＲＳポートは無線サブフレームのリソース要素にマッピングされる。Ｍ個のポートのうちの一部はサブフレームの第１ＰＲＢにマッピングされ、Ｍ個のポートのうちの残りはサブフレームの第２ＰＲＢにマッピングされる。前記第１ＰＲＢがサブフレームの奇数番目ＰＲＢであってもよく、前記第２ＰＲＢが前記サブフレームの偶数番目ＰＲＢであってもよい。Ｍは１６より大きい。処理回路はさらに、前記受信されたＣＳＩ−ＲＳポートのチャネルを測定することで、有効チャネルを推定することと、測定チャネル状態情報をネットワークノードに送信することと、を行うよう動作可能であってもよい。
【００７１】
特定の実施の形態では、マッピングすることは、前記無線サブフレームのリソース要素を複数の集約ＣＳＩ−ＲＳリソースへとグループ化することを含む。各集約ＣＳＩ−ＲＳリソースはＰＲＢごとにＮｐｏｒｔｓＣＳＩ個のリソース要素（例えば、２個、４個または８個のリソース要素）を含んでもよい。マッピングすることはさらに、前記複数の集約されたＣＳＩ−ＲＳリソースのうちの複数個（
2020115655.tif 000022
）を合成することで前記Ｍ個のＣＳＩ−ＲＳポートを運ぶことを含む。各集約されたＣＳＩ−ＲＳリソース内で運ばれるアンテナポートの数（Ｑ）がＮｐｏｒｔｓＣＳＩの整数倍である。
【００７２】
特定の実施の形態では、前記第１ＰＲＢで送信されるＣＳＩ−ＲＳポートの数が前記第２ＰＲＢで送信されるＣＳＩ−ＲＳポートの数と等しくない。
【００７３】
ある実施の形態によると、ＣＳＩ−ＲＳを送信するよう動作可能であるネットワークノードは送信モジュールを備える。送信モジュールは、Ｍ個のＣＳＩ−ＲＳポートをひとつ以上の無線デバイスへ送信するよう動作可能である。Ｍ個のポートのうちの一部は第１ＰＲＢを介して送信され、Ｍ個のポートのうちの残りは第２ＰＲＢを介して送信される。
【００７４】
ある実施の形態によると、ＣＳＩ−ＲＳを受信するよう動作可能である無線デバイスは受信モジュールを備える。受信モジュールは、Ｍ個のＣＳＩ−ＲＳポートを受信するよう動作可能である。Ｍ個のポートのうちの一部は第１ＰＲＢを介して受信され、Ｍ個のポートのうちの残りは第２ＰＲＢを介して受信される。
【００７５】
コンピュータプログラム製品も開示される。コンピュータプログラム製品は、非一時的コンピュータ可読媒体に保持されるインストラクションを備え、そのインストラクションはプロセッサによって実行されると、Ｍ個のＣＳＩ−ＲＳポートをひとつ以上の無線デバイスへ送信する動作を行う。Ｍ個のポートのうちの一部は第１ＰＲＢを介して送信され、Ｍ個のポートのうちの残りは第２ＰＲＢを介して送信される。
【００７６】
別のコンピュータプログラム製品は、非一時的コンピュータ可読媒体に保持されるインストラクションを備え、そのインストラクションはプロセッサによって実行されると、Ｍ個のＣＳＩ−ＲＳポートを受信する動作を行う。Ｍ個のポートのうちの一部は第１ＰＲＢを介して受信され、Ｍ個のポートのうちの残りは第２ＰＲＢを介して受信される。
【００７７】
特定の実施の形態は、以下の技術的利点のうちのいくつかを示してもよい。例えば、特定の実施の形態は、ＬＴＥリリース１３ＣＳＩ−ＲＳ設計でなされるように各集約されるリソースをＮｐｏｒｔｓＣＳＩＣＳＩ−ＲＳポートに制限するアプローチと比較して、ＣＳＩ−ＲＳ  ＲＥオーバヘッドを低減することができる。さらに、各集約されたＣＳＩ−ＲＳリソースがリソースごとにＮｐｏｒｔｓＣＳＩより多くのＣＳＩ−ＲＳポートを運ぶので、集約される必要があるＮＺＰ  ＣＳＩ−ＲＳリソースの数を低減できる。これは、サブフレーム内で利用可能なＣＳＩ−ＲＳ設定の数を減らす必要がないことを意味する。
【００７８】
上述の第３の例示的解は、１６よりも多くのポートをサポートするＣＳＩ−ＲＳ伝送スキームにおいて従来のＵＥをサポートする。他の技術的利点は、以下の図面、詳細な説明および請求項から当業者には容易に明らかであろう。
【図面の簡単な説明】
【００７９】
実施の形態並びにそのフィーチャおよび利点のより完全な理解のために、添付の図面と連携した以下の説明が参照される。
【図１】例示的なダウンリンク無線サブフレームを示す。
【図２】例示的な無線フレームを示す。
【図３】例示的なダウンリンクサブフレームを示す。
【図４】ＬＴＥにおけるプレコードされた空間多重モードの論理構成を示すブロック図である。
【図５】例示的な交差偏波アンテナアレイを示す。
【図６】２個、４個および８個のアンテナポートについて、ＣＳＩ−ＲＳの可能な位置を示す、リソースブロックペアを伴うリソース要素グリッドを示す。
【図７Ａ】図７Ａおよび７Ｂは、１２個および１６個のアンテナポートについて、それぞれ、ＣＳＩ−ＲＳの可能な位置を示す、リソースブロックペアを伴うリソース要素グリッドを示す。
【図７Ｂ】図７Ａおよび７Ｂは、１２個および１６個のアンテナポートについて、それぞれ、ＣＳＩ−ＲＳの可能な位置を示す、リソースブロックペアを伴うリソース要素グリッドを示す。
【図８】ＯＣＣ長２を伴う１２ポート用の例示的ＮＺＰ  ＣＳＩ−ＲＳ設計でのリソース要素グリッドを示す。
【図９】ＯＣＣ長２を伴う１６ポート用の例示的ＮＺＰ  ＣＳＩ−ＲＳ設計でのリソース要素グリッドを示す。
【図１０】ＯＣＣ長４を伴う１２ポート用の例示的ＮＺＰ  ＣＳＩ−ＲＳ設計でのリソース要素グリッドを示す。
【図１１】ＯＣＣ長４を伴う１６ポート用の例示的ＮＺＰ  ＣＳＩ−ＲＳ設計でのリソース要素グリッドを示す。
【図１２】ある実施の形態に係る、例示的な無線ネットワークを示すブロック図である。
【図１３】特定の実施の形態に係る、長さ８のＯＣＣを伴う３２ポートＮＺＰ  ＣＳＩ−ＲＳ設計を示す例示的なリソース要素グリッドである。
【図１４】特定の実施の形態に係る、長さ８のＯＣＣを伴う２４ポートＮＺＰ  ＣＳＩ−ＲＳ設計を示す例示的なリソース要素グリッドである。
【図１５】特定の実施の形態に係る、長さ４のＯＣＣを伴う２０ポートＮＺＰ  ＣＳＩ−ＲＳ設計を示す例示的なリソース要素グリッドである。
【図１６】特定の実施の形態に係る、長さ４のＯＣＣを伴う２８ポートＮＺＰ  ＣＳＩ−ＲＳ設計を示す例示的なリソース要素グリッドである。
【図１７】特定の実施の形態に係る、長さ４のＯＣＣを伴う２４ポートＮＺＰ  ＣＳＩ−ＲＳ設計を示す例示的なリソース要素グリッドである。
【図１８】特定の実施の形態に係る、長さ４のＯＣＣを伴う３２ポートＮＺＰ  ＣＳＩ−ＲＳ設計を示す例示的なリソース要素グリッドである。
【図１９】ある実施の形態に係る、奇数個のＰＲＢを伴うシステムにおける、ＣＲＳ伝送を伴わないＰＲＢの割り当てを示す。
【図２０】特定の実施の形態に係る、長さ８のＯＣＣを伴う３２ポートＮＺＰ  ＣＳＩ−ＲＳ設計を伴う例示的なリソース要素グリッドを示す。
【図２１】特定の実施の形態に係る、長さ4のＯＣＣを伴う20ポートＮＺＰ  ＣＳＩ−ＲＳ設計を伴う例示的なリソース要素グリッドを示す。
【図２２】特定の実施の形態に係る、長さ4のＯＣＣを伴う28ポートＮＺＰ  ＣＳＩ−ＲＳ設計を伴う例示的なリソース要素グリッドを示す。
【図２３】特定の実施の形態に係る、長さ2のＯＣＣを伴う３２ポートＮＺＰ  ＣＳＩ−ＲＳ設計を示す例示的なリソース要素グリッドである。
【図２４】ある実施の形態に係る、ネットワークノードにおける、チャネル状態情報参照信号（ＣＳＩ−ＲＳ）を送信する例示的方法を示すフロー図である。
【図２５】ある実施の形態に係る、無線デバイスにおける、チャネル状態情報参照信号（ＣＳＩ−ＲＳ）を受信する例示的方法を示すフロー図である。
【図２６Ａ】無線デバイスの例示的な実施の形態を示すブロック図である。
【図２６Ｂ】無線デバイスの例示的なコンポーネントを示すブロック図である。
【図２７Ａ】ネットワークノードの例示的な実施の形態を示すブロック図である。
【図２７Ｂ】ネットワークノードの例示的なコンポーネントを示すブロック図である。
【発明を実施するための形態】
【００８０】
第三世代パートナーシッププロジェクト（３ＧＰＰ）ロングタームエボリューション（ＬＴＥ）は、チャネル状態情報（ＣＳＩ）フィードバック測定を設定するための柔軟な手段として、非ゼロ電力チャネル状態情報参照シンボル（ＮＺＰ  ＣＳＩ−ＲＳ）を用いる。ＮＺＰ  ＣＳＩ−ＲＳを測定することで、ユーザ装置（ＵＥ）はそのＮＺＰ  ＣＳＩ−ＲＳが伝搬している有効チャネルを、無線伝搬チャネルおよびアンテナ利得を含めて推定することができる。
【００８１】
ＬＴＥリリース１１は８個までのＮＺＰ  ＣＳＩ−ＲＳポートをサポートする。したがって、ＬＴＥ  Ｒｅｌ−１１では、ＵＥは８個までの送信アンテナポートのチャネルを推定できる。ＬＴＥ  Ｒｅｌ−１３は、ＮＺＰ  ＣＳＩ−ＲＳリソースを、１２ポートおよび１６ポートを含むよう拡張する。Ｒｅｌ−１３は、三つの従来の４ポートＣＳＩ−ＲＳリソースを集約する（ことで１２ポートＮＺＰ  ＣＳＩ−ＲＳリソースを形成する）か、または、二つの従来の８ポートＣＳＩ−ＲＳリソースを集約する（ことで１６ポートＮＺＰ  ＣＳＩ−ＲＳリソースを形成する）。集約されたＮＺＰ  ＣＳＩ−ＲＳリソースの全ては同じサブフレームに置かれる。１２ポートおよび１６ポートＮＺＰ  ＣＳＩ−ＲＳリソースを形成する例が図７Ａおよび図７Ｂを参照して上述される。
【００８２】
ＬＴＥリリース１３  ＮＺＰ  ＣＳＩ−ＲＳ設計におけるサブフレーム内の異なる１２ポートおよび１６ポートＣＳＩ−ＲＳ設定の数はそれぞれ３つおよび２つである。１２ポートの場合、三つの異なるＣＳＩ−ＲＳ設定を形成可能であり、ここで、各設定は三つの従来の４ポートＣＳＩ−ＲＳ設定を集約することによって形成される。これは、ひとつのＰＲＢ内のＣＳＩ−ＲＳについて利用可能な４０個のＣＳＩ−ＲＳリソース要素のうち、３６個のＣＳＩ−ＲＳリソース要素を消費する。１６ポートの場合、二つの異なるＣＳＩ−ＲＳ設定を形成可能であり、ここで、各設定は二つの従来の８ポートＣＳＩ−ＲＳ設定を集約することによって形成される。これは、ひとつのＰＲＢ内のＣＳＩ−ＲＳについて利用可能な４０個のＣＳＩ−ＲＳリソース要素のうち、３２個のＣＳＩ−ＲＳリソース要素を消費する。
【００８３】
上述のＬＴＥ  ＮＺＰ  ＣＳＩ−ＲＳ設計は、より多くのＣＳＩ−ＲＳポートを含めるように設計を拡張する際の種々の課題を含む。一例として、従来のＬＴＥリリース（リリース１３を含んでそれまで）のＮＺＰ  ＣＳＩ−ＲＳ設計では、ＰＲＢごとのＣＳＩ−ＲＳリソース要素の数はＣＳＩ−ＲＳポートの数と等しい。例えば、１２ポートおよび１６ポートＣＳＩ−ＲＳ設計におけるＰＲＢごとのＣＳＩ−ＲＳリソース要素の数はそれぞれ１２および１６である。したがって、このアプローチのひとつの課題は、ＣＳＩ−ＲＳポートの数が１６を超えて増大する場合ＣＳＩ−ＲＳリソース要素のオーバヘッドが増大することである。
【００８４】
上述のＮＺＰ  ＣＳＩ−ＲＳ設計をより大きなＣＳＩ−ＲＳポート数へと拡張することに伴う別の課題は、サブフレーム内の利用可能なＣＳＩ−ＲＳ設定の数が１に低減されうることである。例えば、単に上述の方法に従うと、３２ポートＮＺＰ  ＣＳＩ−ＲＳ設計は、四つの従来の８ポートＣＳＩ−ＲＳ設定を集約することによって得られ得る。例えば、ＰＲＢごとに３２個のＣＳＩ−ＲＳリソース要素を用いることで３２ポートＮＺＰ  ＣＳＩ−ＲＳ設計を形成することは、４０個の利用可能なＣＳＩ−ＲＳリソース要素のうち３２個のＣＳＩ−ＲＳリソース要素を消費するであろう。その結果、このアプローチでは、サブフレーム内でただひとつの３２ポートＣＳＩ−ＲＳが設定されうる。これは、隣接セルにおいて同じ３２ポートＣＳＩ−ＲＳ設定が用いられる場合、チャネル状態情報推定にとって有害でありうる。
【００８５】
ひとつの可能な解は、隣接セルのＣＳＩ−ＲＳ伝送を異なるサブフレームにおいて有することである。これにより隣接セル間でのＣＳＩ−ＲＳ衝突が防がれるとしても、サービングセルのＣＳＩ−ＲＳ伝送は隣接セルからのＰＤＳＣＨ伝送と干渉しうる。低負荷条件ではこの干渉の影響はそれほどでもないかもしれないが、高負荷条件ではそれはより顕著となり得る。高負荷条件では、セルエッジのＵＥは、隣接セルのＰＤＳＣＨ伝送により引き起こされる、サービングセルＣＳＩ−ＲＳ伝送上の干渉で苦しむことがある（ＰＤＳＣＨはビームフォーミングされ、ＬＴＥ  Ｒｅｌ−１３  クラスＡ  ＣＳＩ−ＲＳにおいてＣＳＩ−ＲＳ伝送はビームフォーミングされていないものとする）。
【００８６】
隣接セルからのＰＤＳＣＨ干渉を避けるため、ゼロ電力ＣＳＩ−ＲＳ（ＺＰ  ＣＳＩ−ＲＳ）を隣接セルに設定することができる。しかしながら、より多くのポート（すなわち、３２ポート）を含むＣＳＩ−ＲＳ伝送について、ＺＰ  ＣＳＩ−ＲＳ伝送に伴うオーバヘッドは顕著に大きくなりうる。
【００８７】
特定の実施の形態は、上述の課題を軽減すると共に、ひとつのサブフレーム内で１６より多くのＣＳＩ−ＲＳポートを送受信することを含む。ある実施の形態では、ＮｒｅｓＣＳＩ個の集約された従来のＬＴＥ  ＣＳＩ−ＲＳリソースで１６より多くのＣＳＩ−ＲＳポートが送信され、ここでは、ＣＳＩ−ＲＳポートの総数の一部が偶数のリソースブロックを介して送信され、残りのＣＳＩ−ＲＳポートが奇数のリソースブロックを介して送信される。
【００８８】
以下の説明は多くの具体的な詳細を説明する。しかしながら、実施の形態がこれらの具体的な詳細なしに実施されうることは理解される。他の例では、本説明の理解を不明にしないために、よく知られた回路や構成や技術は詳述されない。含まれる説明で、当業者であれば不要な実験を行うことなく適切な機能を実現することができるであろう。
【００８９】
本明細書における「ある実施の形態」、「実施の形態」、「例示的な実施の形態」などへの言及は、説明される実施の形態が特定のフィーチャ、構成または特性を含みうることを示すが、各実施の形態はそのような特定のフィーチャ、構成や特性を必ずしも含む必要はない。さらに、そのような文言は同じ実施の形態を指すとは限らない。さらに、実施の形態のとの関連で特定のフィーチャ、構成または特性が説明される場合、明示されているか否かに関わらず、他の実施の形態との関係でそのようなフィーチャ、構成または特性を実装することは、当業者の知識の範囲内であると述べる。
【００９０】
特定の実施の形態を説明するために本明細書では３ＧＰＰ  ＬＴＥからの用語が用いられるが、実施の形態は上述のシステムのみに限定されるものではない。New radio (NR), WCDMA, WiMax, UMBおよびGSMなどを含む他の無線システムもまた本明細書で説明される実施の形態から恩恵を受けうる。
【００９１】
eNodeBやUEなどの用語は非限定的であると考えられるべきであり、それら二つの間の特定の階層関係を示唆するものではない。ＮＲでは、ｅＮｏｄｅＢに対応するノードはｇＮｏｄｅＢと称される。一般に、「ｅＮｏｄｅＢ」は第１デバイスとされ、「ＵＥ」は第２デバイスとされてもよい。それら二つのデバイスは無線チャネルを介して互いに通信する。特定の実施の形態はダウンリンクにおける無線伝送を説明するが、他の実施の形態はアップリンクにおいて同等に適用可能である。
【００９２】
図面のうちの図１２−２７Ｂを参照して特定の実施の形態を説明する。同等の符号は種々の図面の同等の対応する部材のために用いられる。本開示を通じて例示的なセルラシステムとしてＬＴＥを用いるが、本明細書で提示されるアイデアは他の無線通信システムにも適用可能である。
【００９３】
図１２は、特定の実施の形態に係る、例示的な無線ネットワークを示すブロック図である。無線ネットワーク１００は、ひとつ以上の無線デバイス１１０（携帯電話、スマートフォン、ラップトップコンピュータ、タブレットコンピュータ、ＭＴＣデバイス、または無線通信を提供可能な任意の他のデバイスなど）と、複数のネットワークノード１２０（基地局やｅＮｏｄｅＢなど）と、を含む。無線デバイス１１０はまたＵＥとも称されてもよい。ネットワークノード１２０はカバレッジエリア１１５（セル１１５とも称される）を担当する。
【００９４】
一般に、ネットワークノード１２０のカバレッジ内（例えば、ネットワークノード１２０によって担当されるセル１１５内）にある無線デバイス１１０は、無線信号１３０を送受信することでネットワークノード１２０と通信する。例えば、無線デバイス１１０およびネットワークノード１２０は音声トラフィック、データトラフィックおよび／または制御信号を含む無線信号１３０をやりとりしてもよい。音声トラフィック、データトラフィックおよび／または制御信号を無線デバイス１１０に通信しているネットワークノード１２０は、無線デバイス１１０のサービングネットワークノード１２０と称されてもよい。無線デバイス１１０とネットワークノード１２０との間の通信はセルラ通信と称されてもよい。無線信号１３０は、ダウンリンク伝送（ネットワークノード１２０から無線デバイス１１０への）と、アップリンク伝送（無線デバイス１１０からネットワークノード１２０への）と、の両方を含んでもよい。
【００９５】
ネットワークノード１２０および無線デバイス１１０は、図１−３に関して説明されたものと同様の無線フレームおよびサブフレーム構造にしたがい、無線信号１３０をやりとりしてもよい。他の実施の形態は、適切な無線フレーム構造を含んでもよい。例えば、ＮＲでは、用いられる数理により時間シンボル（例えば、ＯＦＤＭシンボル）の継続期間が変化し得、したがってひとつのサブフレームが必ずしも同数のシンボルを含むわけではない。代わりに、「スロット」の概念が用いられてもよく、ひとつのスロットは通常１４個のシンボルを占め、あるいは７個のシンボルを占める場合もあり、したがってひとつのＬＴＥサブフレームに対応する。
【００９６】
各ネットワークノード１２０は、無線デバイス１１０に信号１３０を送信するために、単一の送信器１４０または複数の送信器１４０を有してもよい。ある実施の形態では、ネットワークノード１２０は複数入力複数出力（ＭＩＭＯ）システムを備えてもよい。同様に、各無線デバイス１１０は、ネットワークノード１２０または他の無線デバイス１１０から信号１３０を受信するために、単一の受信器または複数の受信器を有してもよい。ネットワークノード１２０の複数の送信器は論理アンテナポートに関連付けられてもよい。
【００９７】
無線信号１３０はＣＳＩ−ＲＳ参照信号１３５などの参照信号を含んでもよい。特定の実施の形態では、無線信号１３０はひとつのサブフレーム内に１６より多くのＣＳＩ−ＲＳ１３５を含んでもよい。各ＣＳＩ−ＲＳ１３５はひとつのアンテナポートに関連付けられてもよい。
【００９８】
特定の実施の形態では、ネットワークノード１２０などのネットワークノードは、無線デバイス１１０などのひとつ以上の無線デバイスにＭ個のＣＳＩ−ＲＳ１３５ポートを送信する。Ｍ個のポートのうちの一部は第１物理リソースブロック（ＰＲＢ）を介して送信され、Ｍ個のポートのうちの残りは第２ＰＲＢを介して送信される。ネットワークノード１２０は、Ｍ個のＣＳＩ−ＲＳポートを無線サブフレームのリソース要素にマッピングしてもよい。Ｍ個のポートのうちの一部はサブフレームの第１ＰＲＢにマッピングされてもよく、Ｍ個のポートのうちの残りはサブフレームの第２ＰＲＢにマッピングされてもよい。前記第１ＰＲＢがサブフレームの奇数番目ＰＲＢであってもよく、前記第２ＰＲＢが前記サブフレームの偶数番目ＰＲＢであってもよい。
【００９９】
特定の実施の形態では、マッピングすることは、前記無線サブフレームのリソース要素を複数の集約ＣＳＩ−ＲＳリソースへとグループ化することを含む。ＬＴＥ無線サブフレームはまた、例えば７個または１４個のＯＦＤＭシンボルを含むひとつのＮＲ「スロット」と称されうる。各集約ＣＳＩ−ＲＳリソースはＰＲＢごとにＮｐｏｒｔｓＣＳＩ個のリソース要素を含み、ＮｐｏｒｔｓＣＳＩが２個、４個または８個のリソース要素を含む。マッピングすることはさらに、前記複数の集約されたＣＳＩ−ＲＳリソースのうちの複数個（
2020115655.tif 000023
）を合成することで前記Ｍ個のＣＳＩ−ＲＳポートを運ぶことを含む。各集約されたＣＳＩ−ＲＳリソース内で運ばれるアンテナポートの数（Ｑ）がＮｐｏｒｔｓＣＳＩの整数倍である。
【０１００】
特定の実施の形態では、Ｍは１６より大きい。例えば、Ｍが３２と等しくてもよい。前記第１ＰＲＢの前記リソース要素が集約されたＣＳＩ−ＲＳリソースのグループを少なくとも二つ備えてもよく、前記少なくとも二つのグループのそれぞれが８個のリソース要素を含み、前記少なくとも二つのグループのそれぞれが８個のアンテナポートを運ぶ。前記第２ＰＲＢの前記リソース要素が集約されたＣＳＩ−ＲＳリソースのグループを少なくとも二つ備えてもよく、前記少なくとも二つのグループのそれぞれが８個のリソース要素を含み、前記少なくとも二つのグループのそれぞれが８個のアンテナポートを運ぶ。前記第１ＰＲＢおよび前記第２ＰＲＢの集約ＣＳＩ−ＲＳリソースの前記少なくとも二つのグループのそれぞれの前記８個のアンテナポートに亘って、８直交カバーコード（ＯＣＣ）分の長さが用いられてもよい。
【０１０１】
他の例では、Ｍが２０と等しくてもよい。前記第１ＰＲＢの前記リソース要素が集約されたＣＳＩ−ＲＳリソースのグループを少なくとも三つ備えてもよい。前記少なくとも三つのグループのそれぞれが４個のリソース要素を含み、前記少なくとも三つのグループのそれぞれが４個のアンテナポートを運ぶ。前記第２ＰＲＢの前記リソース要素が集約されたＣＳＩ−ＲＳリソースのグループを少なくとも二つ備え、前記少なくとも二つのグループのそれぞれが４個のリソース要素を含み、前記少なくとも二つのグループのそれぞれが４個のアンテナポートを運ぶ。前記第１リソースブロックの集約ＣＳＩ−ＲＳリソースの前記少なくとも三つのグループおよび前記第２リソースブロックの集約ＣＳＩ−ＲＳリソースの前記少なくとも二つのグループのそれぞれの前記４個のアンテナポートに亘って、４直交カバーコード（ＯＣＣ）分の長さが用いられてもよい。
【０１０２】
他の例では、Ｍが２８と等しくてもよい。前記第１ＰＲＢの前記リソース要素が集約されたＣＳＩ−ＲＳリソースのグループを少なくとも四つ備えてもよく、前記少なくとも四つのグループのそれぞれが４個のリソース要素を含み、前記少なくとも四つのグループのそれぞれが４個のアンテナポートを運ぶ。前記第２ＰＲＢの前記リソース要素が集約されたＣＳＩ−ＲＳリソースのグループを少なくとも三つ備えてもよく、前記少なくとも三つのグループのそれぞれが４個のリソース要素を含み、前記少なくとも三つのグループのそれぞれが４個のアンテナポートを運ぶ。前記第１リソースブロックの集約ＣＳＩ−ＲＳリソースの前記少なくとも四つのグループおよび前記第２リソースブロックの集約ＣＳＩ−ＲＳリソースの前記少なくとも三つのグループのそれぞれの前記４個のアンテナポートに亘って、４直交カバーコード（ＯＣＣ）分の長さが用いられてもよい。
【０１０３】
特定の実施の形態では、前記第１ＰＲＢで送信されるＣＳＩ−ＲＳポートの数が前記第２ＰＲＢで送信されるＣＳＩ−ＲＳポートの数と等しくない。
【０１０４】
特定の実施の形態では、ネットワークノード１２０は、送信されたＣＳＩ−ＲＳ１３５ポートのうちのひとつ以上に基づくチャネル推定を、無線デバイス１１０から、受信してもよい。
【０１０５】
ある実施の形態によると、無線デバイス１１０などの無線デバイスはＭ個のＣＳＩ−ＲＳ１３５ポートを受信する。Ｍ個のポートのうちの一部は第１ＰＲＢを介して受信され、Ｍ個のポートのうちの残りは第２ＰＲＢを介して受信される。特定の実施の形態では、Ｍ個のＣＳＩ−ＲＳポートは無線サブフレームのリソース要素にマッピングされる。Ｍ個のポートのうちの一部はサブフレームの第１ＰＲＢにマッピングされ、Ｍ個のポートのうちの残りはサブフレームの第２ＰＲＢにマッピングされる。無線デバイス１１０は、受信されたＣＳＩ−ＲＳ１３５ポートのチャネルを測定することで、有効チャネルを推定し、測定チャネル状態情報をネットワークノード１２０に送信してもよい。ＣＳＩ−ＲＳを送受信するための特定のアルゴリズムが、図１３−２５に関して詳述される。
【０１０６】
無線ネットワーク１００において、各ネットワークノード１２０は任意の適切な無線アクセス技術を用いてもよい。そのような技術は例えば、ロングタームエボリューション（ＬＴＥ）、ＬＴＥ−アドバンスト、UMTS、HSPA、GSM、cdma2000、NR、WiMax、WiFi、および／または他の適切な無線アクセス技術である。無線ネットワーク１００はひとつ以上の無線アクセス技術の任意の適切な組み合わせを含んでもよい。例示を目的として、所定の無線アクセス技術のコンテキスト内で種々の実施の形態を説明するであろう。しかしながら、本開示の範囲はそれらの例に限定されず、他の実施の形態は異なる無線アクセス技術を用いうる。
【０１０７】
上述の通り、無線ネットワークの実施の形態は、ひとつ以上の無線デバイスと、ひとつ以上の異なるタイプの無線ネットワークノードであって無線デバイスと通信可能なネットワークノードと、を含んでもよい。ネットワークはまた、無線デバイス間、または無線デバイスと他の通信デバイス（固定電話など）との間の通信をサポートするのに適切な追加的要素を含んでもよい。無線デバイスは、ハードウエアおよび／またはソフトウエアの任意の適切な組み合わせを含んでもよい。例えば、特定の実施の形態では、無線デバイス１１０などの無線デバイスは、以下の図２６Ａに関して説明されるコンポーネントを含んでもよい。同様に、ネットワークノードは、ハードウエアおよび／またはソフトウエアの任意の適切な組み合わせを含んでもよい。例えば、特定の実施の形態では、ネットワークノード１２０などのネットワークノードは、以下の図２７Ａに関して説明されるコンポーネントを含んでもよい。
【０１０８】
第１グループの実施の形態では、ＮｒｅｓＣＳＩ個の異なるＮｐｏｒｔｓＣＳＩポートＮＺＰ  ＣＳＩ−ＲＳリソースを集約することで、ＳポートＮＺＰ  ＣＳＩ−ＲＳ設計を形成し、そこではＳ＞ＮｐｏｒｔｓＣＳＩＮｒｅｓＣＳＩおよびＳはＮｒｅｓＣＳＩおよびＮｐｏｒｔｓＣＳＩの両方の公約数（すなわちmod(S,NresCSI)=0およびmod(S,NportsCSI)=0）である。各集約されたＣＳＩ−ＲＳリソース内で運ばれるアンテナポートの数は値ＮｐｏｒｔｓＣＳＩの整数倍である。より具体的には、第１グループの実施の形態では、各集約されたＣＳＩ−ＲＳリソース内で運ばれるポートの数は整数Ｑ＝Ｓ／ＮｒｅｓＣＳＩ＞ＮｐｏｒｔｓＣＳＩである。これは、背景のセクションで上述されたＮＺＰ  ＣＳＩ−ＲＳ設計とは異なる。そこでは、各集約されたＣＳＩ−ＲＳリソース内で運ばれるポートの数はＮｐｏｒｔｓＣＳＩに制限される。ＬＴＥのリリース１３までの場合、ＮｐｏｒｔｓＣＳＩは２、４および８の値をとりうる。
【０１０９】
各集約されたＣＳＩ−ＲＳリソース内にＮｐｏｒｔｓＣＳＩより多くのＣＳＩ−ＲＳポートを詰め込むために、Ｓ／（ＮｐｏｒｔｓＣＳＩＮｒｅｓＣＳＩ）個の隣接ＰＲＢに亘ってＣＤＭグループを形成してもよい。例えば、二つの従来の８ポートＮＺＰ  ＣＳＩ−ＲＳリソースが集約されて新たなひとつのＣＳＩ−ＲＳ設計が形成される、ＮｐｏｒｔｓＣＳＩ＝８およびＮｒｅｓＣＳＩ＝２を伴う場合を考える。これは、３２ポートＮＺＰ  ＣＳＩ−ＲＳ設計（すなわち、Ｓ＝３２）を形成するのに用いられ得る。この設計では、各集約されたＣＳＩ−ＲＳリソースはＱ＝Ｓ／ＮｒｅｓＣＳＩ＝１６個のＣＳＩ−ＲＳポートを運ぶことができる（ＬＴＥリリース１３の１６ポート設計は各集約されたＣＳＩ−ＲＳリソース内に８ポートのみ許すことに注意する）。各集約されたＣＳＩ−ＲＳ内に１６個のＣＳＩ−ＲＳポートを詰め込むために、Ｓ／（ＮｐｏｒｔｓＣＳＩＮｒｅｓＣＳＩ）＝３２／（８・２）＝２個の隣接ＰＲＢに亘ってＣＤＭグループを形成する。これらのＣＤＭグループのそれぞれに亘って適用されるＯＣＣの長さは、特定のＮＺＰ  ＣＳＩ−ＲＳ設計に対応する詳細な実施の形態において後述される設計パラメータである。
【０１１０】
各集約されたＣＳＩ−ＲＳリソースにより多くのＣＳＩ−ＲＳポートを詰め込むことで、ＬＴＥリリース１３ＣＳＩ−ＲＳ設計でなされるように各集約されるリソースをＮｐｏｒｔｓＣＳＩ個のＣＳＩ−ＲＳポートに制限するアプローチと比較して、ＣＳＩ−ＲＳ  リソース要素オーバヘッドを低減することができる。さらに、第１グループの実施の形態において、各集約されたＣＳＩ−ＲＳリソースがリソースごとにＮｐｏｒｔｓＣＳＩより多くのＣＳＩ−ＲＳポートを運ぶので、集約される必要があるＮＺＰ  ＣＳＩ−ＲＳリソースの数を低減できる。したがって、サブフレーム内で利用可能なＣＳＩ−ＲＳ設定の数を減らす必要がない。
【０１１１】
特定の実施の形態は、長さ８のＯＣＣを伴う３２ポートＮＺＰ  ＣＳＩ−ＲＳ設計を含む。３２ポートＮＺＰ  ＣＳＩ−ＲＳ設計は、二つの従来の８ポートＣＳＩ−ＲＳリソースを集約することによって得られ得る。したがって、Ｓ＝３２、ＮｐｏｒｔｓＣＳＩ＝８およびＮｒｅｓＣＳＩ＝２である。各集約されたＣＳＩ−ＲＳリソースはＱ＝１６ポートを運び、ＣＤＭグループは二つの隣接するＰＲＢに亘って形成される。この設計は、ひとつのＣＤＭグループ内で、式１１で示されるような長さ８のＯＣＣを用いてもよい。この設計で、各サブフレーム内で、ＣＳＩ−ＲＳ  ＲＥオーバヘッドの増大なく、二つの３２ポートＣＳＩ−ＲＳ設定が可能である。長さ８のＯＣＣを用いる３２ポートＮＺＰ  ＣＳＩ−ＲＳ設計の一例が図１３に示される。
【０１１２】
図１３は、特定の実施の形態に係る、長さ８のＯＣＣを伴う３２ポートＮＺＰ  ＣＳＩ−ＲＳ設計を示す例示的なリソース要素グリッドである。リソース要素グリッドは二つＰＲＢ１６を備える。水平軸は時間ドメインを表し、垂直軸は周波数ドメインを表す。
【０１１３】
ＬＴＥの従来の８ポートＣＳＩ−ＲＳリソース０および１を集約して３２ポートＮＺＰ  ＣＳＩ−ＲＳ設計を形成する。同じ従来の８ポートＣＳＩ−ＲＳリソース内の二つの隣接ＰＲＢにおいて文字「Ａ」が付されたＣＳＩ−ＲＳリソース要素を一緒にグループ化してひとつのＣＤＭグループを形成する。同様に、同じ従来の８ポートＣＳＩ−ＲＳリソース内の二つの隣接ＰＲＢにおいて文字「Ｂ」が付されたＣＳＩ−ＲＳリソース要素を一緒にグループ化して別のＣＤＭグループを形成する。
【０１１４】
式１１の長さ８のＯＣＣを用いて、各ＣＤＭグループ内で８個のＣＳＩ−ＲＳポートを送信することができる。その結果、各従来の８ポートＣＳＩ−ＲＳリソースの二つのＣＤＭグループ内で１６個のＣＳＩ−ＲＳポートを送信することができ、一緒に集められた二つの８ポート従来型ＣＳＩ−ＲＳリソースにおいて３２個のＣＳＩ−ＲＳポートを送信することができる。
【０１１５】
図１３に示される例は一緒に集められた従来の８ポートＣＳＩ−ＲＳ設定０および１を示すが、同じ設計思想を、二つの他の従来型８ポートＣＳＩ−ＲＳ設定が一緒に集められる場合にも適用できる。
2020115655.tif 000024
式１１
【０１１６】
特定の実施の形態は、長さ８のＯＣＣを伴う24ポートＮＺＰ  ＣＳＩ−ＲＳ設計を含む。２４ポートＮＺＰ  ＣＳＩ−ＲＳ設計は、三つの従来の4ポートＣＳＩ−ＲＳリソースを集約することによって得られ得る。したがって、Ｓ＝２４、ＮｐｏｒｔｓＣＳＩ＝４およびＮｒｅｓＣＳＩ＝３である。各集約されたＣＳＩ−ＲＳリソースはＱ＝８ポートを運び、ＣＤＭグループは二つの隣接するＰＲＢに亘って形成される。この設計は、ひとつのＣＤＭグループ内で、式１１で示されるような長さ８のＯＣＣを用いてもよい。この設計で、各サブフレーム内で、ＣＳＩ−ＲＳ  ＲＥオーバヘッドの増大なく、三つの24ポートＣＳＩ−ＲＳ設定が可能である。長さ８のＯＣＣを用いる24ポートＮＺＰ  ＣＳＩ−ＲＳ設計の一例が図１４に示される。
【０１１７】
図１４は、特定の実施の形態に係る、長さ８のＯＣＣを伴う24ポートＮＺＰ  ＣＳＩ−ＲＳ設計を示す例示的なリソース要素グリッドである。リソース要素グリッドは二つＰＲＢ１６を備える。水平軸は時間ドメインを表し、垂直軸は周波数ドメインを表す。
【０１１８】
ＬＴＥの従来の４ポートＣＳＩ−ＲＳリソース０、２および８を集約して２４ポートＮＺＰ  ＣＳＩ−ＲＳ設計を形成する。同じ従来の4ポートＣＳＩ−ＲＳリソース内の二つの隣接ＰＲＢにおいて文字「Ａ」が付されたＣＳＩ−ＲＳリソース要素を一緒にグループ化してひとつのＣＤＭグループを形成する。式１１の長さ８のＯＣＣを用いて、各ＣＤＭグループ内で８個のＣＳＩ−ＲＳポートを送信することができる。
【０１１９】
図示の例では各従来の４ポートＣＳＩ−ＲＳリソースはＣＤＭグループをひとつだけ含むので、集約されたＣＳＩ−ＲＳリソースごとに８個のＣＳＩ−ＲＳポートを送信することができる。三つの集約された従来型４ポートＣＳＩ−ＲＳリソース内で総計２４個のＣＳＩ−ＲＳポートを送信することができる。図１４に示される例は一緒に集められた従来の4ポートＣＳＩ−ＲＳ設定０、２および８を示すが、同じ設計思想を、三つの他の従来型4ポートＣＳＩ−ＲＳ設定が一緒に集められる場合にも適用できる。
【０１２０】
１６個より多くのアンテナポートを用いるＣＳＩ−ＲＳについて、高次レイヤパラメータ「cdmType」がcdm8に設定される場合、アンテナポート番号は、
2020115655.tif 000025
式１２
ここで、p'∈{15,16,...,15+NportsCSI-1}およびq∈{0,1}はＣＳＩ−ＲＳリソース番号ｉ'∈｛０、１、...、ＮｒｅｓＣＳＩ−１｝のためのものである。
【０１２１】
１６個より多くのアンテナポートを用いるＣＳＩ−ＲＳについて、高次レイヤパラメータ「cdmType」がcdm8に設定される場合、アンテナポートｐ上の参照シンボルとして用いられる複素数値変調シンボルａｋ，ｌ（ｐ）へは以下のように定義されてもよい：
2020115655.tif 000026
式１３
ここで、
2020115655.tif 000027
式１４
ここで、式１３のwp',m(i)は表５により与えられる。さらに、Mod(x,2)はモジュロ２演算子を示す（xが奇数である場合、Mod(x,2)=1であり、xが偶数である場合、Mod(x,2)=0である）。式１４で定義される量iおよび量p'に依存することに加えて、wp',m(i)はまた、リソースブロックインデクスmおよび式１２で定義される量qにも依存する。表５の条件１−３のうちのひとつが満たされる場合、[wp',m(0),...,wp',m(3)]は、表５の上部に示されるようにqの値に依存して選択される。表５の条件４−６のうちのひとつが満たされる場合、[wp',m(4),...,wp',m(7)]は、表５の下部に示されるようにqの値に依存して選択される。
表５：ＣＤＭ８のシーケンスwp',m(i)
2020115655.tif 000028
2020115655.tif 000029
【０１２２】
特定の実施の形態は、長さ４のＯＣＣを伴う２０ポートＮＺＰ  ＣＳＩ−ＲＳ設計を含む。２０ポートＮＺＰ  ＣＳＩ−ＲＳ設計は、５つの従来の2ポートＣＳＩ−ＲＳリソースを集約することによって得られ得る。したがって、Ｓ＝２０、ＮｐｏｒｔｓＣＳＩ＝２およびＮｒｅｓＣＳＩ＝５である。各集約されたＣＳＩ−ＲＳリソースはＱ＝４ポートを運び、ＣＤＭグループは二つの隣接するＰＲＢに亘って形成される。この設計は、ひとつのＣＤＭグループ内で、式１５で示されるような長さ４のＯＣＣを用いる。各サブフレーム内で、ＣＳＩ−ＲＳリソース要素オーバヘッドの増大なく、四つの20ポートＣＳＩ−ＲＳ設定が可能である。長さ４のＯＣＣを用いる20ポートＮＺＰ  ＣＳＩ−ＲＳ設計の一例が図１５に示される。
【０１２３】
図１５は、特定の実施の形態に係る、長さ4のＯＣＣを伴う20ポートＮＺＰ  ＣＳＩ−ＲＳ設計を示す例示的なリソース要素グリッドである。リソース要素グリッドは二つＰＲＢ１６を備える。水平軸は時間ドメインを表し、垂直軸は周波数ドメインを表す。
【０１２４】
ＬＴＥの従来の２ポートＣＳＩ−ＲＳリソース０、２、１３、１６および１８を集約して２０ポートＮＺＰ  ＣＳＩ−ＲＳ設計を形成する。同じ従来の2ポートＣＳＩ−ＲＳリソース内の二つの隣接ＰＲＢにおいて文字「Ａ」が付されたＣＳＩ−ＲＳリソース要素を一緒にグループ化してひとつのＣＤＭグループを形成する。式１５の長さ４のＯＣＣを用いて、各ＣＤＭグループ内で４個のＣＳＩ−ＲＳポートを送信することができる。
【０１２５】
従来の2ポートＣＳＩ−ＲＳリソースは従来の２ポートＣＳＩ−ＲＳリソースごとにＣＤＭグループをひとつだけ含むので、集約されたＣＳＩ−ＲＳリソースごとに４個のＣＳＩ−ＲＳポートを送信することができる。五つの集約された従来型2ポートＣＳＩ−ＲＳリソース内で総計２０個のＣＳＩ−ＲＳポートを送信することができる。図１５に示される例は一緒に集められた従来の2ポートＣＳＩ−ＲＳ設定０、２、１３、１６および１８を示すが、同じ設計思想を、五つの他の従来型2ポートＣＳＩ−ＲＳ設定が一緒に集められる場合にも適用できる。
2020115655.tif 000030
式１５
【０１２６】
特定の実施の形態は、長さ４のＯＣＣを伴う28ポートＮＺＰ  ＣＳＩ−ＲＳ設計を含む。２８ポートＮＺＰ  ＣＳＩ−ＲＳ設計は、７つの従来の2ポートＣＳＩ−ＲＳリソースを集約することによって得られ得る。したがって、Ｓ＝２８、ＮｐｏｒｔｓＣＳＩ＝２およびＮｒｅｓＣＳＩ＝７である。各集約されたＣＳＩ−ＲＳリソースはＱ＝４ポートを運び、ＣＤＭグループは二つの隣接するＰＲＢに亘って形成される。この設計は、ひとつのＣＤＭグループ内で、式１５で示されるような長さ４のＯＣＣを用いる。各サブフレーム内で、ＣＳＩ−ＲＳリソース要素オーバヘッドの増大なく、二つの28ポートＣＳＩ−ＲＳ設定が可能である。長さ４のＯＣＣを用いる28ポートＮＺＰ  ＣＳＩ−ＲＳ設計の一例が図１６に示される。
【０１２７】
図１６は、特定の実施の形態に係る、長さ4のＯＣＣを伴う28ポートＮＺＰ  ＣＳＩ−ＲＳ設計を示す例示的なリソース要素グリッドである。リソース要素グリッドは二つＰＲＢ１６を備える。水平軸は時間ドメインを表し、垂直軸は周波数ドメインを表す。
【０１２８】
ＬＴＥの従来の２ポートＣＳＩ−ＲＳリソース０、２、４、１０、１３、１６および１８を集約して２８ポートＮＺＰ  ＣＳＩ−ＲＳ設計を形成する。同じ従来の2ポートＣＳＩ−ＲＳリソース内の二つの隣接ＰＲＢにおいて文字「Ａ」が付されたＣＳＩ−ＲＳリソース要素を一緒にグループ化してひとつのＣＤＭグループを形成する。同じ符号を伴うＣＳＩ−ＲＳリソース要素は同じＣＤＭグループの一部である（例えば、Ａ０が付された四つのリソース要素はＣＤＭグループ０を形成する）。式１５の長さ４のＯＣＣを用いて、各ＣＤＭグループ内で４個のＣＳＩ−ＲＳポートを送信することができる。
【０１２９】
この例では従来の2ポートＣＳＩ−ＲＳリソースはＣＤＭグループをひとつだけ含むので、集約されたＣＳＩ−ＲＳリソースごとに４個のＣＳＩ−ＲＳポートを送信することができる。七つの集約された従来型2ポートＣＳＩ−ＲＳリソース内で総計２８個のＣＳＩ−ＲＳポートを送信することができる。図１５に示される例は一緒に集められた従来の2ポートＣＳＩ−ＲＳ設定０、２、４、１０、１３、１６および１８を示すが、同じ設計思想を、七つの他の従来型2ポートＣＳＩ−ＲＳ設定が一緒に集められる場合にも適用できる。
【０１３０】
１６個より多くのアンテナポートを用いるＣＳＩ−ＲＳについて、高次レイヤパラメータ「cdmType」がcdm4に設定される場合、アンテナポート番号は、
2020115655.tif 000031
式１６
ここで、p'∈{15,16,...,15+NportsCSI-1}およびq∈{0,1}はＣＳＩ−ＲＳリソース番号ｉ'∈｛０、１、...、ＮｒｅｓＣＳＩ−１｝のためのものである。
【０１３１】
１６個より多くのアンテナポートを用いるＣＳＩ−ＲＳについて、高次レイヤパラメータ「cdmType」がcdm4に設定される場合、アンテナポートp上の参照シンボルとして用いられる複素数値変調シンボルａｋ，ｌ（ｐ）は以下のように定義されてもよい：
2020115655.tif 000032
式１７
ここで、
2020115655.tif 000033
式１８
ここで、式１７のwp',m(i)は表６により与えられる。さらに、Mod(x,2)はモジュロ２演算子を示す（xが奇数である場合、Mod(x,2)=1であり、xが偶数である場合、Mod(x,2)=0である）。式１８で定義される量iおよび量p'に依存することに加えて、wp',m(i)はまた、リソースブロックインデクスmおよび式１６で定義される量qにも依存する。表６の条件１−３のうちのひとつが満たされる場合、[wp',m(0),...,wp',m(3)]は、表６の上部に示されるようにqの値に依存して選択される。表６の条件４−６のうちのひとつが満たされる場合、[wp',m(4),...,wp',m(7)]は、表６の下部に示されるようにqの値に依存して選択される。
表６：ＣＤＭ４のシーケンスwp',m(i)
2020115655.tif 000034
2020115655.tif 000035
【０１３２】
特定の実施の形態は、長さ４のＯＣＣを伴う24ポートＮＺＰ  ＣＳＩ−ＲＳ設計を含む。２４ポートＮＺＰ  ＣＳＩ−ＲＳ設計は、三つの従来の4ポートＣＳＩ−ＲＳリソースを集約することによって得られ得る。したがって、Ｓ＝２４、ＮｐｏｒｔｓＣＳＩ＝４およびＮｒｅｓＣＳＩ＝３である。各集約されたＣＳＩ−ＲＳリソースはＱ＝８ポートを運び、ＣＤＭグループは二つの隣接するＰＲＢに亘って形成される。この設計は、ひとつのＣＤＭグループ内で、式１５で示されるような長さ４のＯＣＣを用いる。各サブフレーム内で、ＣＳＩ−ＲＳリソース要素オーバヘッドの増大なく、三つの24ポートＣＳＩ−ＲＳ設定が可能である。長さ４のＯＣＣを用いる24ポートＮＺＰ  ＣＳＩ−ＲＳ設計の一例が図１７に示される。
【０１３３】
図１７は、特定の実施の形態に係る、長さ4のＯＣＣを伴う24ポートＮＺＰ  ＣＳＩ−ＲＳ設計を示す例示的なリソース要素グリッドである。リソース要素グリッドは二つＰＲＢ１６を備える。水平軸は時間ドメインを表し、垂直軸は周波数ドメインを表す。
【０１３４】
ＬＴＥの従来の４ポートＣＳＩ−ＲＳリソース０、２および８を集約して２４ポートＮＺＰ  ＣＳＩ−ＲＳ設計を形成する。同じ従来の4ポートＣＳＩ−ＲＳリソース内の二つの隣接ＰＲＢにおいて文字「Ａ」が付されたＣＳＩ−ＲＳリソース要素を一緒にグループ化してひとつのＣＤＭグループを形成する。同様に、同じ従来の4ポートＣＳＩ−ＲＳリソース内の二つの隣接ＰＲＢにおいて文字「Ｂ」が付されたＣＳＩ−ＲＳリソース要素を一緒にグループ化して別のＣＤＭグループを形成する。式１５の長さ４のＯＣＣを用いて、各ＣＤＭグループ内で４個のＣＳＩ−ＲＳポートを送信することができる。その結果、各従来の4ポートＣＳＩ−ＲＳリソースの二つのＣＤＭグループ内で８個のＣＳＩ−ＲＳポートを送信することができ、一緒に集められた三つの4ポート従来型ＣＳＩ−ＲＳリソースにおいて２４個のＣＳＩ−ＲＳポートを送信することができる。図１７に示される例は一緒に集められた従来の4ポートＣＳＩ−ＲＳ設定０、２および８を示すが、同じ設計思想を、三つの他の従来型4ポートＣＳＩ−ＲＳ設定が一緒に集められる場合にも適用できる。
【０１３５】
特定の実施の形態は、長さ４のＯＣＣを伴う32ポートＮＺＰ  ＣＳＩ−ＲＳ設計を含む。３２ポートＮＺＰ  ＣＳＩ−ＲＳ設計は、二つの従来の８ポートＣＳＩ−ＲＳリソースを集約することによって得られ得る。したがって、Ｓ＝３２、ＮｐｏｒｔｓＣＳＩ＝８およびＮｒｅｓＣＳＩ＝２である。各集約されたＣＳＩ−ＲＳリソースはＱ＝１６ポートを運び、ＣＤＭグループは二つの隣接するＰＲＢに亘って形成される。この設計は、ひとつのＣＤＭグループ内で、式１５で示されるような長さ４のＯＣＣを用いる。各サブフレーム内で、ＣＳＩ−ＲＳリソース要素オーバヘッドの増大なく、二つの32ポートＣＳＩ−ＲＳ設定が可能である。長さ４のＯＣＣを用いる32ポートＮＺＰ  ＣＳＩ−ＲＳ設計の一例が図１８に示される。
【０１３６】
図１８は、特定の実施の形態に係る、長さ4のＯＣＣを伴う３２ポートＮＺＰ  ＣＳＩ−ＲＳ設計を示す例示的なリソース要素グリッドである。リソース要素グリッドは二つＰＲＢ１６を備える。水平軸は時間ドメインを表し、垂直軸は周波数ドメインを表す。
【０１３７】
ＬＴＥの従来の８ポートＣＳＩ−ＲＳリソース０および１を集約して３２ポートＮＺＰ  ＣＳＩ−ＲＳ設計を形成する。同じ従来の８ポートＣＳＩ−ＲＳリソース内の二つの隣接ＰＲＢにおいて文字「Ａ」が付されたＣＳＩ−ＲＳリソース要素を一緒にグループ化してひとつのＣＤＭグループを形成する。同様に、同じ従来の８ポートＣＳＩ−ＲＳリソース内の二つの隣接ＰＲＢにおいて文字「Ｂ」、「Ｃ」および「Ｄ」が付されたＣＳＩ−ＲＳリソース要素を一緒にグループ化してさらに三つのＣＤＭグループを形成する。式１５の長さ４のＯＣＣを用いて、各ＣＤＭグループ内で４個のＣＳＩ−ＲＳポートを送信することができる。その結果、各従来の８ポートＣＳＩ−ＲＳリソースの四つのＣＤＭグループ内で１６個のＣＳＩ−ＲＳポートを送信することができ、一緒に集められた二つの８ポート従来型ＣＳＩ−ＲＳリソースにおいて３２個のＣＳＩ−ＲＳポートを送信することができる。図１８に示される例は一緒に集められた従来の８ポートＣＳＩ−ＲＳ設定０および１を示すが、同じ設計思想を、二つの他の従来型８ポートＣＳＩ−ＲＳ設定が一緒に集められる場合にも適用できる。
【０１３８】
１６個より多くのアンテナポートを用いるＣＳＩ−ＲＳについて、高次レイヤパラメータ「cdmType」がcdm4に設定される場合、アンテナポート番号は、
2020115655.tif 000036
式１９ 
ここで、p'∈{15,16,...,15+NportsCSI-1}およびq∈{0,1}はＣＳＩ−ＲＳリソース番号ｉ'∈｛０、１、...、ＮｒｅｓＣＳＩ−１｝のためのものである。
【０１３９】
１６個より多くのアンテナポートを用いるＣＳＩ−ＲＳについて、高次レイヤパラメータ「cdmType」がcdm4に設定される場合、アンテナポートp上の参照シンボルとして用いられる複素数値変調シンボルａｋ，ｌ（ｐ）は以下のように定義されてもよい：
2020115655.tif 000037
式２０
ここで、
2020115655.tif 000038
式２１
ここで、式１５のwp',m(i)は表７により与えられる。さらに、Mod(x,2)はモジュロ２演算子を示す（xが奇数である場合、Mod(x,2)=1であり、xが偶数である場合、Mod(x,2)=0である）。式２１で定義される量iおよび量p'に依存することに加えて、wp',m(i)はまた、リソースブロックインデクスmおよび式１９で定義される量qにも依存することを注意しておく。表７の条件１−３のうちのひとつが満たされる場合、[wp',m(0),...,wp',m(3)]は、表７の上部に示されるようにqの値に依存して選択される。表７の条件４−６のうちのひとつが満たされる場合、[wp',m(4),...,wp',m(7)]は、表７の下部に示されるようにqの値に依存して選択される。
表７：ＣＤＭ４のシーケンスwp',m(i)
2020115655.tif 000039
2020115655.tif 000040
【０１４０】
いくつかの実施の形態は奇数個のＰＲＢを含む。第１グループの実施の形態のいくつかでは、ＣＳＩ−ＲＳリソース要素はＰＲＢペアとされてもよい（すなわち、各ＣＳＩ−ＲＳポートのＣＳＩ−ＲＳ信号は二つの隣接するＰＲＢのリソース要素上で送信される）。しかしながら、いくつかのＬＴＥシステムは奇数個のＰＲＢを含む。例えば、５ＭＨｚのシステム帯域幅を伴うシステムは２５個のＰＲＢを含んでもよく、１５ＭＨｚの帯域幅を伴うシステムは７５個のＰＲＢを含んでもよい。この場合、ひとつのオプションは、ＰＲＢのうちのひとつでＣＳＩ−ＲＳを送信せず、そのＰＲＢのＣＳＩ−ＲＳリソース要素がＰＤＳＣＨに割り当てられることである。ひとつの疑問は、ＣＳＩ−ＲＳ送信を含まないＰＲＢはどこに割り当てられるべきか、である。
【０１４１】
特定の実施の形態は、そのＰＲＢを帯域幅の中間に割り当ててもよい。例えば、０から２４までインデクスが与えられたＰＲＢを伴う５ＭＨｚ帯域幅について、ＰＲＢ＃１２はＣＳＩ−ＲＳを送信しないものとして選択されてもよい。０から７４までインデクスが与えられたＰＲＢを伴う１５ＭＨｚ帯域幅について、ＰＲＢ＃３８はＣＳＩ−ＲＳを送信しないものとして選択されてもよい。一般に、Ｎ個のＰＲＢを伴いmod(N,2)=1であるシステムについて、図１９に示されるように、ＰＲＢ＃（Ｎ−１）／２はＣＳＩ−ＲＳを送信しないものとして選択されてもよい。
【０１４２】
図１９は、ある実施の形態に係る、奇数個のＰＲＢを伴うシステムにおける、ＣＲＳ伝送を伴わないＰＲＢの割り当てを示す。リソース要素グリッドは二つＰＲＢ１６を備える。図示の通り、各システムの中間ＰＲＢはＣＳＩ−ＲＳ送信を伴わないＰＲＢである。
【０１４３】
このＰＲＢ選択による利点のひとつは、選択されるＰＲＢが所定のサブフレームにおいてＰＳＳ／ＳＳＳ／ＰＢＣＨを運ぶ６個のＰＲＢのうちのひとつであることであり、それらを介したＣＳＩ−ＲＳ伝送は許されておらず、したがって、ＣＳＩ−ＲＳ送信のためのＰＲＢを除去することによるチャネル推定へのインパクトは大きくない。また、ある実施の形態では、ＵＥはＰＲＢの両側においてチャネル推定に基づいてＰＲＢのチャネル補間を行うことができ、ＣＳＩ−ＲＳ送信を伴わないＰＲＢが帯域エッジに割り当てられる場合と比べて帯域エッジ効果はより小さいことが期待される。
【０１４４】
第２グループの実施の形態において、ＣＳＩ−ＲＳポートのうちの一部が第１ＰＲＢを介して送信され、ＣＳＩ−ＲＳポートのうちの残りが第２ＰＲＢを介して送信されてもよい。背景セクションで上述された既存のＣＳＩ−ＲＳ設計では、ＣＳＩ−ＲＳ信号は関連アンテナポートの各ＰＲＢ上で送信される。これは、送信アンテナポートと受信アンテナポートとのペアのそれぞれの間のチャネルを、各ＰＲＢにおいて推定することを可能とする。しかしながら、チャネルの周波数選択性がより小さい場合（すなわち、チャネルが周波数に亘ってそれほど変化しない）、ＰＲＢごとのチャネル推定は不要でありうる。システムパフォーマンスをそれほど失うこと無く、周波数ドメインにおいてはチャネルをより粗く測定することが可能である。
【０１４５】
例えば、第２グループの実施の形態において、ＣＳＩ−ＲＳポートのうちの一部が偶数番目のＰＲＢを介して送信され、ＣＳＩ−ＲＳポートのうちの残りが奇数番目のＰＲＢを介して送信されてもよい。これは、ＣＳＩ−ＲＳリソースオーバヘッドを増大させることなくより多くのアンテナポートをサポートする。加えて、サブフレーム内で利用可能なＣＳＩ−ＲＳ設定の数を減らす必要がない。
【０１４６】
特定の実施の形態は、長さ８のＯＣＣを伴う３２ポートＮＺＰ  ＣＳＩ−ＲＳ設計を含む。３２ポートＮＺＰ  ＣＳＩ−ＲＳ設計は、二つの従来の８ポートＣＳＩ−ＲＳリソースを集約することによって得られ得る。各集約されたＣＳＩ−ＲＳリソースは、偶数番目のＰＲＢで８個のポートを運び、奇数番目のＰＲＢで８個のポートを運ぶ。したがって、二つの集約されたＣＳＩ−ＲＳリソースは、偶数番目のＰＲＢで１６個のポートを運び、奇数番目のＰＲＢで別の１６個のポートを運ぶ。この設計は、ひとつのＣＤＭグループ内で、式１１で示されるような長さ８のＯＣＣを用いる。各サブフレーム内で、ＣＳＩ−ＲＳリソース要素オーバヘッドの増大なく、二つの32ポートＣＳＩ−ＲＳ設定が可能である。長さ８のＯＣＣを用いる32ポートＮＺＰ  ＣＳＩ−ＲＳ設計の一例が図２０に示される。
【０１４７】
図２０は、特定の実施の形態に係る、長さ８のＯＣＣを伴う３２ポートＮＺＰ  ＣＳＩ−ＲＳ設計を伴う二つの例示的なリソース要素グリッドを示す。リソース要素グリッドは二つのＰＲＢ１６を備える。各リソース要素グリッドはひとつのＰＲＢ１６を備える。水平軸は時間ドメインを表し、垂直軸は周波数ドメインを表す。
【０１４８】
ＬＴＥの従来の８ポートＣＳＩ−ＲＳリソース０および１を集約して３２ポートＮＺＰ  ＣＳＩ−ＲＳ設計を形成する。同じ従来の８ポートＣＳＩ−ＲＳリソース内の偶数番目のＰＲＢにおいて文字「Ａ」が付されたＣＳＩ−ＲＳリソース要素を一緒にグループ化してひとつのＣＤＭグループを形成する。同様に、同じ従来の８ポートＣＳＩ−ＲＳリソース内の奇数番目のＰＲＢにおいて文字「Ｂ」が付されたＣＳＩ−ＲＳリソース要素を一緒にグループ化して別のＣＤＭグループを形成する。
【０１４９】
式１１の長さ８のＯＣＣを用いて、各ＣＤＭグループ内で８個のＣＳＩ−ＲＳポートを送信することができる。この実施の形態では、ＣＤＭグループはＰＲＢ内に含まれる。図２０に示される例は一緒に集められた従来の８ポートＣＳＩ−ＲＳ設定０および１を示すが、同じ設計思想を、二つの他の従来型８ポートＣＳＩ−ＲＳ設定が一緒に集められる場合にも適用できる。
【０１５０】
１６個より多くのアンテナポートを用いるＣＳＩ−ＲＳについて、高次レイヤパラメータ「cdmType」がcdm8に設定される場合、アンテナポート番号は、 
2020115655.tif 000041
式２２
ここで、p'∈{15,16,...,15+NportsCSI-1}およびq∈{0,1}はＣＳＩ−ＲＳリソース番号ｉ'∈｛０、１、...、ＮｒｅｓＣＳＩ−１｝のためのものである。
【０１５１】
１６個より多くのアンテナポートを用いるＣＳＩ−ＲＳについて、高次レイヤパラメータ「cdmType」がcdm8に設定される場合、アンテナポートp上の参照シンボルとして用いられる複素数値変調シンボルａｋ，ｌ（ｐ）は以下のように定義されてもよい：
2020115655.tif 000042
式２３
ここで、
2020115655.tif 000043
式２４
ここで、式２３のwp'(i)は表８により与えられる。さらに、Mod(x,2)はモジュロ２演算子を示す（xが奇数である場合、Mod(x,2) =1であり、xが偶数である場合、Mod(x,2)=0である）。
表８：ＣＤＭ４のシーケンスwp'(i)
2020115655.tif 000044
【０１５２】
特定の実施の形態は、長さ４のＯＣＣを伴う20ポートＮＺＰ  ＣＳＩ−ＲＳ設計を含む。図２１に示されるように、２０ポートＮＺＰ  ＣＳＩ−ＲＳ設計は、偶数番目のＰＲＢ内の３つの従来型４ポートＣＳＩ−ＲＳリソースと奇数番目のＰＲＢ内の２つの従来型４ポートＣＳＩ−ＲＳリソースとを集約することによって得られ得る。各集約されたＣＳＩ−ＲＳリソースは、偶数番目のＰＲＢで4個のポートを運び、奇数番目のＰＲＢで4個のポートを運ぶ。偶数番目のＰＲＢ内に３つの集約ＣＳＩ−ＲＳリソースが与えられると、これらの集約リソースは１２個のポートを運ぶ。奇数番目のＰＲＢ内の２つの集約ＣＳＩ−ＲＳリソースは８個のポートを運ぶ。この設計は、ひとつのＣＤＭグループ内で、式１５で示されるような長さ４のＯＣＣを用いる。各サブフレーム内で、ＣＳＩ−ＲＳリソース要素オーバヘッドの増大なく、四つまでの20ポートＣＳＩ−ＲＳ設定が可能である。長さ４のＯＣＣを用いる20ポートＮＺＰ  ＣＳＩ−ＲＳ設計の一例が図２１に示される。
【０１５３】
図２１は、特定の実施の形態に係る、長さ4のＯＣＣを伴う20ポートＮＺＰ  ＣＳＩ−ＲＳ設計を伴う二つの例示的なリソース要素グリッドを示す。リソース要素グリッドは二つのＰＲＢ１６を備える。水平軸は時間ドメインを表し、垂直軸は周波数ドメインを表す。
【０１５４】
偶数番目のＰＲＢにおいてＬＴＥの従来の４ポートＣＳＩ−ＲＳリソース０、２および８を集約し、奇数番目のＰＲＢにおいてＬＴＥの従来の４ポートＣＳＩ−ＲＳリソース０および８を集約する。同じ従来の4ポートＣＳＩ−ＲＳリソース内の偶数番目のＰＲＢにおいて文字「Ａ」が付されたＣＳＩ−ＲＳリソース要素を一緒にグループ化してひとつのＣＤＭグループを形成する。同様に、同じ従来の4ポートＣＳＩ−ＲＳリソース内の奇数番目のＰＲＢにおいて文字「Ｂ」が付されたＣＳＩ−ＲＳリソース要素を一緒にグループ化して別のＣＤＭグループを形成する。式１５の長さ４のＯＣＣを用いて、各ＣＤＭグループ内で４個のＣＳＩ−ＲＳポートを送信することができる。この実施の形態では、ＣＤＭグループはＰＲＢ内に含まれる。図２１に示される例は一緒に集められた従来の4ポートＣＳＩ−ＲＳ設定０、8および2を示すが、同じ設計思想を、奇数番目のＰＲＢにおいて二つの他の従来型4ポートＣＳＩ−ＲＳ設定が一緒に集められる場合や偶数番目のＰＲＢにおいて三つの他の従来型4ポートＣＳＩ−ＲＳ設定が一緒に集められる場合にも適用できる。
【０１５５】
特定の実施の形態は、長さ４のＯＣＣを伴う28ポートＮＺＰ  ＣＳＩ−ＲＳ設計を含む。図２２に示されるように、２８ポートＮＺＰ  ＣＳＩ−ＲＳ設計は、偶数番目のＰＲＢ内の4つの従来型４ポートＣＳＩ−ＲＳリソースと奇数番目のＰＲＢ内の３つの従来型４ポートＣＳＩ−ＲＳリソースとを集約することによって得られ得る。各集約されたＣＳＩ−ＲＳリソースは、偶数番目のＰＲＢで4個のポートを運び、奇数番目のＰＲＢで4個のポートを運ぶ。偶数番目のＰＲＢ内に4つの集約ＣＳＩ−ＲＳリソースが与えられると、これらの集約リソースは16個のポートを運ぶ。奇数番目のＰＲＢ内の3つの集約ＣＳＩ−ＲＳリソースは12個のポートを運ぶ。この設計は、ひとつのＣＤＭグループ内で、式１５で示されるような長さ４のＯＣＣを用いる。各サブフレーム内で、ＣＳＩ−ＲＳリソース要素オーバヘッドの増大なく、二つまでの28ポートＣＳＩ−ＲＳ設定が可能である。長さ４のＯＣＣを用いる28ポートＮＺＰ  ＣＳＩ−ＲＳ設計の一例が図２２に示される。
【０１５６】
図２２は、特定の実施の形態に係る、長さ4のＯＣＣを伴う28ポートＮＺＰ  ＣＳＩ−ＲＳ設計を伴う二つの例示的なリソース要素グリッドを示す。リソース要素グリッドは二つのＰＲＢ１６を備える。水平軸は時間ドメインを表し、垂直軸は周波数ドメインを表す。
【０１５７】
偶数番目のＰＲＢにおいてＬＴＥの従来の４ポートＣＳＩ−ＲＳリソース０、１、２および８を集約し、奇数番目のＰＲＢにおいてＬＴＥの従来の４ポートＣＳＩ−ＲＳリソース０、２および８を集約する。同じ従来の4ポートＣＳＩ−ＲＳリソース内の偶数番目のＰＲＢにおいて文字「Ａ」が付されたＣＳＩ−ＲＳリソース要素を一緒にグループ化してひとつのＣＤＭグループを形成する。同様に、同じ従来の4ポートＣＳＩ−ＲＳリソース内の奇数番目のＰＲＢにおいて文字「Ｂ」が付されたＣＳＩ−ＲＳリソース要素を一緒にグループ化して別のＣＤＭグループを形成する。式１５の長さ４のＯＣＣを用いて、各ＣＤＭグループ内で４個のＣＳＩ−ＲＳポートを送信することができる。この実施の形態では、ＣＤＭグループはＰＲＢ内に含まれる。図２２に示される例は一緒に集められた従来の4ポートＣＳＩ−ＲＳ設定０、２、８および1を示すが、同じ設計思想を、奇数番目のＰＲＢにおいて三つの他の従来型4ポートＣＳＩ−ＲＳ設定が一緒に集められる場合や偶数番目のＰＲＢにおいて四つの他の従来型4ポートＣＳＩ−ＲＳ設定が一緒に集められる場合にも適用できる。
【０１５８】
１６個より多くのアンテナポートを用いるＣＳＩ−ＲＳについて、高次レイヤパラメータ「cdmType」がcdm4に設定される場合、アンテナポート番号は、 
2020115655.tif 000045
式２５
ここで、p'∈{15,16,...,15+NportsCSI-1}。式２５のＣＳＩ−ＲＳリソース番号i'は以下で与えられる。
2020115655.tif 000046
式２６
【０１５９】
式２６において、条件q=0およびq=1はそれぞれ偶数番目のＰＲＢ、奇数番目のＰＲＢに対応する。したがって、Ｎｒｅｓ，１ＣＳＩおよびＮｒｅｓ，２ＣＳＩはそれぞれ、偶数番目のＰＲＢ、奇数番目のＰＲＢについて設定された従来型ＣＳＩリソースの数を表す。２０個のＮＺＰ  ＣＳＩ−ＲＳポートについて、Ｎｒｅｓ，１ＣＳＩ＝３およびＮｒｅｓ，２ＣＳＩ＝２。２８個のＮＺＰ  ＣＳＩ−ＲＳポートについて、Ｎｒｅｓ，１ＣＳＩ＝４およびＮｒｅｓ，２ＣＳＩ＝３。異なる数のＣＳＩ−ＲＳポートを伴うある他の実施の形態では、Ｎｒｅｓ，１ＣＳＩおよびＮｒｅｓ，２ＣＳＩは等しくなるよう選択されてもよい。
【０１６０】
１６個より多くのアンテナポートを用いるＣＳＩ−ＲＳについて、高次レイヤパラメータ「cdmType」がcdm4に設定される場合、アンテナポートp上の参照シンボルとして用いられる複素数値変調シンボルａｋ，ｌ（ｐ）は以下のように定義されてもよい：
2020115655.tif 000047
式２７
ここで、
2020115655.tif 000048
式２８
ここで、式２８のwp'(i)は表４により与えられる。さらに、Mod(x,2)はモジュロ２演算子を示す（xが奇数である場合、Mod(x,2)=1であり、xが偶数である場合、Mod(x,2)=0である）。
【０１６１】
第３グループの実施の形態は後方互換性をサポートする。例えば、１６より多くのポートを伴うシステムが展開される場合、従来のＵＥが依然としてサポートされることが望ましい。８ポートＣＳＩ−ＲＳをサポートする従来型のＵＥについて、８個のアンテナポートでのデータ伝送をサポートすることが望ましい。そのような後方互換性フィーチャをサポートするため、特定の実施の形態はＯＣＣ２コードを用い、ＣＳＩ−ＲＳポートのうちの８つを従来のＵＥと共有してもよい。いくつかの実施の形態は各ＰＲＢ内の全てのＣＳＩ−ＲＳポートのＣＳＩ−ＲＳリソースを割り当ててもよい。
【０１６２】
特定の実施の形態は、長さ２のＯＣＣを伴うＮＺＰ  ＣＳＩ−ＲＳ設計を含む。３２個のＣＳＩ−ＲＳポートについて、３２個のＣＳＩ−ＲＳリソース要素が各ＰＲＢ内で割り当てられる。図２３に示されるように、３２個のリソース要素は４つの従来型８ポートＣＳＩ−ＲＳリソースの集約であってもよい。
【０１６３】
図２３は、特定の実施の形態に係る、長さ2のＯＣＣを伴う３２ポートＮＺＰ  ＣＳＩ−ＲＳ設計を示す例示的なリソース要素グリッドである。水平軸は時間ドメインを表し、垂直軸は周波数ドメインを表す。
【０１６４】
ＯＣＣ２コードは、各８ポートリソースの同じ文字（例えば、「Ａ」）が付されているリソース要素に亘って適用される。同じ８ポートリソースのリソース要素は同じ番号を含む。例えば、リソース要素ペアＡ０、Ｂ０、Ｃ０およびＤ０はひとつの８ポートリソースを形成する。
【０１６５】
アンテナポートをＣＳＩ−ＲＳリソース要素に適切に割り当てることによって、８ポートＣＳＩ−ＲＳリソースのうちのひとつを８個のＣＳＩ−ＲＳポートをサポートする従来型ＵＥ用にも設定可能である。従来型ＵＥについてＣＳＩ−ＲＳリソース要素の残りをＺＰ  ＣＳＩ−ＲＳとして構成してもよく、この場合、ＵＥは、それらのリソース要素上でのＣＳＩ−ＲＳ伝送はないと仮定する。例えば、８ポートＣＳＩ−ＲＳリソース設定０から３を集約してひとつの３２ポートＣＳＩ−ＲＳリソースを形成すると共に、８個のＣＳＩ−ＲＳポートのみをサポートする従来型ＵＥとの共有のために８ポートＣＳＩ−ＲＳ設定０を用いてもよい。
【０１６６】
従来型８ポートＣＳＩ−ＲＳと完全に互換であるために、二つの極性を伴うアンテナが展開される場合、図２３で文字「Ａ」および「Ｂ」が付されたＣＳＩ−ＲＳリソース要素は一方の極性を伴うアンテナポートにマッピングされ、一方で、「Ｃ」および「Ｄ」が付されたリソース要素は他方の極性を伴うアンテナポートにマッピングされてもよい。これは、３２ポートＣＳＩ−ＲＳと四つの８ポートＣＳＩ−ＲＳとの間の適切なＣＳＩ−ＲＳポートマッピングによりなされうる。一例が表９に示されており、そこでは３２個のＣＳＩ−ＲＳポートは１５から４６までインデクスされており、一方で四つの８ＣＳＩ−ＲＳポートのそれぞれは１５から２２までインデクスされる。
表９：従来型ＵＥをサポートするための例示的なＣＳＩ−ＲＳポートマッピング
2020115655.tif 000049
【０１６７】
同様に、Ｍ個の従来型ＣＳＩ−ＲＳリソースを集約することによって、Ｎ個（Ｎ＞１６）のＣＳＩ−ＲＳポート用のリソースを得ることができる。例えば：五つの従来型４ポートＣＳＩ−ＲＳリソースを集約することで２０ポートＣＳＩ−ＲＳを得ることができ、六つの従来型４ポートＣＳＩ−ＲＳリソースを集約することで、または三つの８ポートＣＳＩ−ＲＳリソースを集約することで２４ポートＣＳＩ−ＲＳを得ることができ、七つの従来型４ポートＣＳＩ−ＲＳリソースを集約することで２８ポートＣＳＩ−ＲＳを得ることができる。
【０１６８】
特定の実施の形態では、従来型ＣＳＩ−ＲＳリソースのうちのひとつは４つまたは８つＣＳＩ−ＲＳポートをサポートする従来型ＵＥと共有されうる。
【０１６９】
図１２−２３に関して説明された例は、総じて、図２４のフローチャート（ネットワークノードに関する）および図２５のフローチャート（無線デバイスに関する）によって表されてもよい。
【０１７０】
図２４は、ある実施の形態に係る、ネットワークノードにおける、チャネル状態情報参照信号（ＣＳＩ−ＲＳ）を送信する例示的方法を示すフロー図である。特定の実施の形態では、図２４のひとつ以上のステップは、図１２に関して説明された無線ネットワーク１００の無線ネットワーク要素によって行われてもよい。
【０１７１】
方法はステップ２４１２において始まり、そこでは、ネットワークノードは、複数（Ｍ）個のＣＳＩ−ＲＳを無線サブフレームのリソース要素にマッピングする。Ｍは１６より大きい。例えば、ネットワークノード１２０は、２０個（または２４個、２８個、３２個、または任意の適切な他の数）のアンテナポートを無線サブフレームのリソース要素にマッピングしてもよい。ネットワークノード１２０は、２０個のアンテナポートのうちの一部を第１ＰＲＢ（例えば、全て奇数番目のＰＲＢ）にマッピングし、残りのアンテナポートを第２ＰＲＢ（例えば、全て偶数番目のＰＲＢ）にマッピングしてもよい。
【０１７２】
特定の実施の形態では、マッピングすることは、前記無線サブフレームのリソース要素を複数の集約ＣＳＩ−ＲＳリソースへとグループ化することを含む。各集約ＣＳＩ−ＲＳリソースはＰＲＢごとにＮｐｏｒｔｓＣＳＩ個のリソース要素（例えば、２個、４個または８個のリソース要素）を含んでもよい。マッピングすることはさらに、前記複数の集約されたＣＳＩ−ＲＳリソースのうちの複数個（
2020115655.tif 000050
）を合成することで前記Ｍ個のＣＳＩ−ＲＳポートを運ぶことを含む。各集約されたＣＳＩ−ＲＳリソース内で運ばれるアンテナポートの数（Ｑ）がＮｐｏｒｔｓＣＳＩの整数倍である。特定の実施の形態は、図１３−２３に関して説明されたリソースマッピングのうちのいずれかを含んでもよい。
【０１７３】
ステップ２４１４において、ネットワークノードはＭ個のＣＳＩ−ＲＳを無線デバイスに送信する。Ｍ個のポートのうちの一部は第１ＰＲＢを介して送信され、Ｍ個のポートのうちの残りは第２ＰＲＢを介して送信される。例えば、ネットワークノード１２０は３２個のＣＳＩ−ＲＳを無線デバイス１１０に送信してもよい。３２個のポートのうちの一部（例えば、１６個）は奇数番目のＰＲＢ上で送信され、残りのＣＳＩ−ＲＳ（例えば、１６個）は偶数番目のＰＲＢ上で送信されてもよい。特定の実施の形態は、図１３−２３に関して説明された例のうちのいずれかにしたがい、Ｍ個のＣＳＩ−ＲＳを送信してもよい。無線デバイス１１０はＣＳＩ−ＲＳを用いてチャネル推定を行ってもよい。
【０１７４】
ステップ２４１６において、ネットワークノードは、前記送信されたＣＳＩ−ＲＳポートのうちのひとつ以上に基づく測定チャネル状態情報を、無線デバイスから、受信してもよい。例えば、ネットワークノード１２０は無線デバイス１１０から測定チャネル状態情報を受信してもよい。
【０１７５】
方法２４００に対して変更、追加、または省略を行ってもよい。加えて、図２４の方法２４００のひとつ以上のステップは並列して、または任意の適切な順序で、行われてもよい。方法２４００のステップは必要に応じて時間の経過と共に繰り返されてもよい。
【０１７６】
図２５は、ある実施の形態に係る、無線デバイスにおける、チャネル状態情報参照信号（ＣＳＩ−ＲＳ）を受信する例示的方法を示すフロー図である。特定の実施の形態では、図２５のひとつ以上のステップは、図１２に関して説明された無線ネットワーク１００の無線ネットワーク要素によって行われてもよい。
【０１７７】
方法はステップ２５１２で始まり、そこでは、無線デバイスが複数（Ｍ）個のＣＳＩ−ＲＳポートを受信する。Ｍ個のポートのうちの一部は第１ＰＲＢを介して受信され、Ｍ個のポートのうちの残りは第２ＰＲＢを介して受信される。例えば、無線デバイス１１０は３２個のＣＳＩ−ＲＳをネットワークノード１２０から受信してもよい。３２個のポートのうちの一部（例えば、１６個）は奇数番目のＰＲＢ上で受信され、残りのＣＳＩ−ＲＳ（例えば、１６個）は偶数番目のＰＲＢ上で受信されてもよい。特定の実施の形態は、図１３−２３に関して説明された例のうちのいずれかにしたがい、Ｍ個のＣＳＩ−ＲＳを受信してもよい。
【０１７８】
ステップ２５１４において、無線デバイスは、前記受信されたＣＳＩ−ＲＳポートのチャネルを測定することで、有効チャネルを推定してもよい。例えば、無線デバイス１１０は３２個の受信ＣＳＩ−ＲＳを測定し、その測定を用いることでネットワークノード１２０と無線デバイス１１０との間の有効チャネルを推定してもよい。
【０１７９】
ステップ２５１６において、無線デバイスは、測定チャネル状態情報をネットワークノードに送信する。例えば、無線デバイス１１０は測定チャネル状態情報をネットワークノード１２０に送信してもよい。
【０１８０】
方法2500に対して変更、追加、または省略を行ってもよい。加えて、図２５の方法2500のひとつ以上のステップは並列して、または任意の適切な順序で、行われてもよい。方法2500のステップは必要に応じて時間の経過と共に繰り返されてもよい。
【０１８１】
図２６Ａは、無線デバイスの例示的な実施の形態を示すブロック図である。無線デバイスは図１２に示される無線デバイス１１０の一例である。特定の実施の形態では、無線デバイスは、ネットワークノードから、複数Ｍ（Ｍ＞１６）個のＣＳＩ−ＲＳポートを受信することができる。Ｍ個のポートのうちの一部は第１ＰＲＢを介して受信され、Ｍ個のポートのうちの残りは第２ＰＲＢを介して受信される。
【０１８２】
無線デバイスの特定の例は、携帯電話、スマートフォン、ＰＤＡ（パーソナルデジタルアシスタント）、可搬コンピュータ（例えば、ラップトップ、タブレット）、センサ、モデム、マシンタイプ（ＭＴＣ）デバイス／マシン対マシン（Ｍ２Ｍ）デバイス、ラップトップ組み込み装置（ＬＥＥ）、ラップトップ搭載装置（ＬＭＥ）、ＵＳＢドングル、デバイス対デバイス可能デバイス、車両対車両デバイス、または無線通信を提供可能な任意の他のデバイスを含む。無線デバイスは処理回路２６００を含む。処理回路２６００は、トランシーバ２６１０と、プロセッサ２６２０と、メモリ２６３０と、電源２６４０と、を含む。ある実施の形態では、トランシーバ２６１０は、無線ネットワークノード１２０への（例えば、アンテナを介した）無線信号の送信および無線ネットワークノード１２０からの（例えば、アンテナを介した）無線信号の受信を促進し、プロセッサ２６２０はインストラクションを実行することで本明細書において無線デバイスによって提供されるものとして説明されている機能のいくつかまたは全てを提供し、メモリ２６３０はプロセッサ２６２０によって実行されるインストラクションを保持する。電源２６４０は、トランシーバ２６１０、プロセッサ２６２０および／またはメモリ２６３０などの無線デバイス１１０のコンポーネントのうちのひとつ以上に電力を供給する。
【０１８３】
プロセッサ２６２０は、インストラクションを実行しデータを操作することで無線デバイスの説明される機能のうちのいくつかまたは全てを行うために、ひとつ以上の集積回路またはモジュールで実装されるハードウエアおよびソフトウエアの任意の適切な組み合わせを含む。ある実施の形態では、プロセッサ２６２０は、例えば、ひとつ以上のコンピュータ、ひとつ以上のプログラム可能論理デバイス、ひとつ以上の中央演算ユニット（ＣＰＵ）、ひとつ以上のマイクロプロセッサ、ひとつ以上のアプリケーション、および／または他のロジック、および／または任意の適切なそれらの組み合わせを含んでもよい。プロセッサ２６２０は、無線デバイス１１０の説明される機能のうちのいくつかまたは全てを行うよう構成されたアナログ回路および／またはデジタル回路を含んでもよい。例えば、プロセッサ２６２０は抵抗、キャパシタ、インダクタ、トランジスタ、ダイオード、および／または任意の他の適切な回路コンポーネントを含んでもよい。
【０１８４】
メモリ２６３０は総じてコンピュータ実行可能コードおよびデータを保持するよう動作可能である。メモリ２６３０の例は、コンピュータメモリ（例えば、ランダムアクセスメモリ（ＲＡＭ）やリードオンリメモリ（ＲＯＭ））、大容量ストレージ媒体（例えば、ハードディスク）、リムーバブルストレージ媒体（例えば、コンパクトディスク（ＣＤ）やデジタルビデオディスク（ＤＶＤ））、および／または情報を保持する任意の他の揮発性または不揮発性、非一時的コンピュータ可読および／またはコンピュータ実行可能メモリデバイスを含む。
【０１８５】
電源２６４０は総じて無線デバイス１１０のコンポーネントに電力を供給するよう動作可能である。電源２６４０は、リチウムイオン、リチウム空気、リチウムポリマ、ニッケルカドミウム、ニッケル水素金属、または無線デバイスに電力を供給するための任意の他の適切なタイプの電池などの任意の適切なタイプの電池を含んでもよい。
【０１８６】
特定の実施の形態では、トランシーバ２６１０と通信するプロセッサ２６２０は、ひとつ以上の無線デバイスに複数Ｍ個のＣＳＩ−ＲＳポートを送信する。Ｍ個のポートのうちの一部は第１ＰＲＢを介して送信され、Ｍ個のポートのうちの残りは第２ＰＲＢを介して送信される。
【０１８７】
無線デバイスの他の実施の形態は、無線デバイスの機能のある側面を提供するための追加的なコンポーネント（図２６Ａに示されるものを超えて）を含んでもよく、そのような機能は上述の機能のいずれかおよび／または追加的な機能（上述の解をサポートするのに必要な機能を含む）を含む。
【０１８８】
図２６Ｂは、無線デバイス１１０の例示的なコンポーネントを示すブロック図である。コンポーネントは、受信モジュール２６５０と、推定モジュール２６５２と、送信モジュール２６５４と、を含んでもよい。
【０１８９】
受信モジュール２６５０は、無線デバイス１１０の受信機能を行ってもよい。例えば、受信モジュール２６５０は、図１３-２５に関して説明された例のうちのいずれかにしたがい、ひとつ以上のＰＲＢにおいてＭ（Ｍ＞１６）個のＣＳＩ−ＲＳアンテナポートを受信してもよい。ある実施の形態では、受信モジュール２６５０はプロセッサ２６２０を含むか、それに含まれてもよい。特定の実施の形態では、受信モジュール２６５０は推定モジュール２６５２および送信モジュール２６５４と通信してもよい。
【０１９０】
推定モジュール2652は、無線デバイス１１０の推定機能を行ってもよい。例えば、推定モジュール２６５２は受信ＣＳＩ−ＲＳを用いて無線チャネルを推定してもよい。ある実施の形態では、推定モジュール2652はプロセッサ２６２０を含むか、それに含まれてもよい。特定の実施の形態では、推定モジュール2652は受信モジュール2650および送信モジュール２６５４と通信してもよい。
【０１９１】
送信モジュール2654は、無線デバイス１１０の送信機能を行ってもよい。例えば、送信モジュール2654は測定チャネル状態情報をネットワークノード１２０に送信してもよい。ある実施の形態では、送信モジュール2654はプロセッサ２６２０を含むか、それに含まれてもよい。特定の実施の形態では、送信モジュール2654は受信モジュール2650および推定モジュール2652と通信してもよい。
【０１９２】
図２７Ａは、ネットワークノードの例示的な実施の形態を示すブロック図である。ネットワークノードは図１２に示されるネットワークノード120の一例である。特定の実施の形態では、ネットワークノードは、ひとつ以上の無線デバイスへ、複数Ｍ（Ｍ＞１６）個のＣＳＩ−ＲＳポートを送信することができる。Ｍ個のポートのうちの一部は第１ＰＲＢを介して送信され、Ｍ個のポートのうちの残りは第２ＰＲＢを介して送信される。
【０１９３】
ネットワークノード１２０は、ｅＮｏｄｅＢ、ｎｏｄｅＢ、基地局、無線アクセスポイント（例えば、ＷｉＦｉアクセスポイント）、低電力ノード、ベーストランシーバ局（ＢＴＳ）、送信ポイントまたはノード、リモートＲＦユニット（ＲＲＵ）、リモート無線ヘッド（ＲＲＨ）、または他の無線アクセスノードであってもよい。ネットワークノードは処理回路２７００を含む。処理回路２７００は、少なくともひとつのトランシーバ２７１０と、少なくともひとつのプロセッサ２７２０と、少なくともひとつのメモリ２７３０と、少なくともひとつのネットワークインタフェース２７４０と、を含む。トランシーバ２７１０は、無線デバイス１１０などの無線デバイスへ（例えば、アンテナを介して）無線信号を送信することおよび無線デバイス１１０などの無線デバイスから（例えば、アンテナを介して）無線信号を受信することを促進し、プロセッサ２７２０はインストラクションを実行することでネットワークノード１２０によって提供されるものとして上述されている機能のいくつかまたは全てを提供し、メモリ２７３０はプロセッサ２７２０によって実行されるインストラクションを保持し、ネットワークインタフェース２７４０は、ゲートウエイ、スイッチ、ルータ、インターネット、公衆電話交換網（ＰＳＴＮ）、コントローラ、および／または他のネットワークノード１２０などのバックエンドネットワークコンポーネントに信号を伝送する。プロセッサ２７２０およびメモリ２７３０は上の図２６Ａのプロセッサ２６２０およびメモリ２６３０に関して説明されたものと同じタイプのものであってもよい。
【０１９４】
ある実施の形態では、ネットワークインタフェース２７４０はプロセッサ２７２０に通信可能に結合され、ネットワークノード１２０への入力を受信し、ネットワークノード１２０からの出力を送信し、そのような入力または出力もしくはその両方の適切な処理を実行し、他のデバイスと通信し、またはそれらの任意の組み合わせを行うよう動作する任意の適切なデバイスを指す。ネットワークインタフェース２７４０は、ネットワークを通じて通信するための、適切なハードウエア（例えば、ポート、モデム、ネットワークインタフェースカードなど）とソフトウエア（プロトコル変換およびデータ処理能力を含む）とを含む。
【０１９５】
特定の実施の形態では、トランシーバ2710と通信するプロセッサ2720は、ひとつ以上の無線デバイスに複数Ｍ個のＣＳＩ−ＲＳポートを送信する。Ｍ個のポートのうちの一部は第１ＰＲＢを介して送信され、Ｍ個のポートのうちの残りは第２ＰＲＢを介して送信される。
【０１９６】
ネットワークノード１２０の他の実施の形態は、ネットワークノードの機能のある側面を提供するための追加的なコンポーネント（図２７Ａに示されるものを超えて）を含んでもよく、そのような機能は上述の機能のいずれかおよび／または追加的な機能（上述の解をサポートするのに必要な機能を含む）を含む。種々の異なるタイプのネットワークノードは、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【０１９７】
図２７Ｂは、ネットワークノード１２０の例示的なコンポーネントを示すブロック図である。コンポーネントは、マッピングモジュール2750と、送信モジュール2752と、受信モジュール2754と、を含んでもよい。
【０１９８】
マッピングモジュール2750は、ネットワークノード１２０のマッピング機能を行ってもよい。例えば、マッピングモジュール2750は、図１３-２５に関して説明された例のうちのいずれかにしたがい、Ｍ（Ｍ＞１６）個のＣＳＩ−ＲＳアンテナポートをひとつ以上のＰＲＢにマッピングしてもよい。ある実施の形態では、マッピングモジュール2750はプロセッサ2720を含むか、それに含まれてもよい。特定の実施の形態では、マッピングモジュール2750は送信モジュール2752および受信モジュール2754と通信してもよい。
【０１９９】
送信モジュール2752は、ネットワークノード１２０の送信機能を行ってもよい。例えば、送信モジュール2752は、図１３-２５に関して説明された例のうちのいずれかにしたがい、ひとつ以上のＰＲＢにおいてＭ（Ｍ＞１６）個のＣＳＩ−ＲＳアンテナポートを送信してもよい。ある実施の形態では、送信モジュール2752はプロセッサ2720を含むか、それに含まれてもよい。特定の実施の形態では、送信モジュール2752はマッピングモジュール2750および受信モジュール2754と通信してもよい。
【０２００】
受信モジュール2754は、ネットワークノード１２０の受信機能を行ってもよい。例えば、受信モジュール2754は無線デバイス１１０から測定チャネル状態情報を受信してもよい。ある実施の形態では、受信モジュール2754はプロセッサ２６２０を含むか、それに含まれてもよい。特定の実施の形態では、受信モジュール2754はマッピングモジュール2750および送信モジュール2752と通信してもよい。
【０２０１】
本発明の範囲から逸脱することなく、本明細書に開示されるシステムおよび装置に対する変更、追加または省略を行うことができる。システムおよび装置のコンポーネントは統合されてもよいし、分離されてもよい。さらに、システムおよび装置の動作はより多くの、より少ない、または他のコンポーネントによって行われてもよい。加えて、システムおよび装置の動作は、ソフトウエア、ハードウエアおよび／または他のロジックを含む任意の適切なロジックを用いて行われてもよい。本開示で用いられる場合、「各」は集合の各メンバ、または集合の部分集合の各メンバを指す。
【０２０２】
本発明の範囲から逸脱することなく、本明細書に開示される方法に対する変更、追加または省略を行うことができる。方法はより多くの、より少ない、または他のステップを含んでもよい。加えて、ステップは任意の適切な順序で行われてもよい。
【０２０３】
本開示を所定の実施の形態で説明したが、実施の形態の変更や置換は当業者には明らかであろう。したがって、実施の形態の上述の記載は本開示を制限するものではない。以下の請求の範囲により定義される、本開示の範囲から逸脱することなく、他の変形、代替および変更が可能である。
【０２０４】
上述の記載で用いられた略語は以下を含む： 
３ＧＰＰ  第三世代パートナーシッププロジェクト
ＢＴＳ  ベーストランシーバ局
ＣＤＭ  符号分割多重
Ｄ２Ｄ  デバイス対デバイス
ＤＦＴ  離散フーリエ変換
ＤＬ  ダウンリンク
ｅＮＢ  eNodeB
ＦＤＤ  周波数分割複信
ＬＴＥ  ロングタームエボリューション
ＭＡＣ  メディアアクセスコントロール
Ｍ２Ｍ  マシン対マシン
ＭＩＭＯ  複数入力複数出力
ＭＴＣ  マシンタイプ通信
ＮＲ  ニューラジオ
ＯＦＤＭ  直交周波数分割多重
ＰＤＳＣＨ  物理ダウンリンク共有チャネル
ＰＵＣＣＨ  物理アップリンク制御チャネル
ＰＲＢ  物理リソースブロック
ＲＡＮ  無線アクセスネットワーク
ＲＡＴ  無線アクセス技術
ＲＢＳ  無線基地局
ＲＥ  リソース要素
ＲＮＣ  無線ネットワークコントローラ
ＲＲＣ  無線リソースコントロール
ＲＲＨ  リモート無線ヘッド
ＲＲＵ  リモート無線ユニット
ＴＤＤ  時分割複信
ＵＥ  ユーザ装置
ＵＬ  アップリンク
ＵＴＲＡＮ  ユニバーサルテレストリアル無線アクセスネットワーク
ＷＡＮ  無線アクセスネットワーク
【図１】
2020115655.tif 000055
【図２】
2020115655.tif 000056
【図３】
2020115655.tif 000057
【図４】
2020115655.tif 000058
【図５】
2020115655.tif 000059
【図６】
2020115655.tif 000060
【図７Ａ】
2020115655.tif 000061
【図７Ｂ】
2020115655.tif 000062
【図８】
2020115655.tif 000063
【図９】
2020115655.tif 000064
【図１０】
2020115655.tif 000065
【図１１】
2020115655.tif 000066
【図１２】
2020115655.tif 000067
【図１３】
2020115655.tif 000068
【図１４】
2020115655.tif 000069
【図１５】
2020115655.tif 000070
【図１６】
2020115655.tif 000071
【図１７】
2020115655.tif 000072
【図１８】
2020115655.tif 000073
【図１９】
2020115655.tif 000074
【図２０】
2020115655.tif 000075
【図２１】
2020115655.tif 000076
【図２２】
2020115655.tif 000077
【図２３】
2020115655.tif 000078
【図２４】
2020115655.tif 000079
【図２５】
2020115655.tif 000080
【図２６Ａ】
2020115655.tif 000081
【図２６Ｂ】
2020115655.tif 000082
【図２７Ａ】
2020115655.tif 000083
【図２７Ｂ】
2020115655.tif 000084
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
ネットワークノードにおいて用いられる、チャネル状態情報参照信号（ＣＳＩ−ＲＳ）を送信する方法であって、前記方法は、
Ｍ個のＣＳＩ−ＲＳポートを無線デバイスへ送信することであって、前記Ｍ個のポートのうちの一部が第１物理リソースブロック（ＰＲＢ）を介して送信され、前記Ｍ個のポートのうちの残りが第２ＰＲＢを介して送信される、送信すること（２４１４）と、
前記送信されたＣＳＩ−ＲＳポートのうちのひとつ以上に基づく測定チャネル状態情報を、前記無線デバイスから、受信すること（２４１６）と、を含み、
Ｍが１６よりも大きく、
前記第１ＰＲＢと前記第２ＰＲＢとは隣接しており、
前記方法はさらに、
前記Ｍ個のＣＳＩ−ＲＳポートを無線サブフレームのリソース要素にマッピングすることであって、前記Ｍ個のポートのうちの一部が前記サブフレームの前記第１ＰＲＢにマッピングされ、前記Ｍ個のポートのうちの残りが前記サブフレームの前記第２ＰＲＢにマッピングされる、マッピングすること（２４１２）をさらに含み、
前記マッピングすることは、
前記無線サブフレームのリソース要素を複数の集約ＣＳＩ−ＲＳリソースへとグループ化することであって、各集約ＣＳＩ−ＲＳリソースがＰＲＢごとにＮｐｏｒｔｓＣＳＩ個のリソース要素を含み、ＮｐｏｒｔｓＣＳＩが２、４または８である、グループ化することと、
前記複数の集約ＣＳＩ−ＲＳリソースのうちの複数個を合成することで前記Ｍ個のＣＳＩ−ＲＳポートを運ぶことであって、各集約ＣＳＩ−ＲＳリソース内で運ばれるアンテナポートの数（Ｑ）がＮｐｏｒｔｓＣＳＩの整数倍である、運ぶことと、を含み、
各集約ＣＳＩ−ＲＳリソース内のＱ個のポートの伝送は、当該集約ＣＳＩ−ＲＳリソース内の隣接する前記第１ＰＲＢおよび前記第２ＰＲＢに亘って直交カバーコードを適用することによって達成される方法。
【請求項２】
前記第１ＰＲＢがサブフレームの奇数番目ＰＲＢであり、前記第２ＰＲＢが前記サブフレームの偶数番目ＰＲＢである請求項１に記載の方法。
【請求項３】
前記第１ＰＲＢで送信されるＣＳＩ−ＲＳポートの数が前記第２ＰＲＢで送信されるＣＳＩ−ＲＳポートの数と等しくない請求項１または２に記載の方法。
【請求項４】
Ｍが３２と等しく、
前記第１ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備えており、
前記第２ＰＲＢの前記リソース要素が集約ＣＳＩ−ＲＳリソースのグループを少なくとも二つ備え、前記少なくとも二つのグループのそれぞれが８個のリソース要素を含み、前記少なくとも二つのグループのそれぞれが８個のアンテナポートを備える請求項１に記載の方法。
【請求項５】
前記第１ＰＲＢおよび前記第２ＰＲＢの集約ＣＳＩ−ＲＳリソースの前記少なくとも二つのグループのそれぞれの前記８個のアンテナポートに亘って、８直交カバーコード（ＯＣＣ）分の長さが用いられる請求項４に記載の方法。
【請求項６】
Ｍが２０と等しく、
前記第１ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備えており、
前記第２ＰＲＢの前記リソース要素が集約ＣＳＩ−ＲＳリソースのグループを少なくとも二つ備え、前記少なくとも二つのグループのそれぞれが４個のリソース要素を含み、前記少なくとも二つのグループのそれぞれが４個のアンテナポートを備える請求項１に記載の方法。
【請求項７】
前記第１ＰＲＢの集約ＣＳＩ−ＲＳリソースの前記少なくとも三つのグループおよび前記第２ＰＲＢの集約ＣＳＩ−ＲＳリソースの前記少なくとも二つのグループのそれぞれの前記４個のアンテナポートに亘って、４直交カバーコード（ＯＣＣ）分の長さが用いられる請求項６に記載の方法。
【請求項８】
Ｍが２８と等しく、
前記第１ＰＲＢの前記リソース要素が集約ＣＳＩ−ＲＳリソースのグループを少なくとも四つ備え、前記少なくとも四つのグループのそれぞれが４個のリソース要素を含み、前記少なくとも四つのグループのそれぞれが４個のアンテナポートを備えており、
前記第２ＰＲＢの前記リソース要素が集約ＣＳＩ−ＲＳリソースのグループを少なくとも三つ備え、前記少なくとも三つのグループのそれぞれが４個のリソース要素を含み、前記少なくとも三つのグループのそれぞれが４個のアンテナポートを備える請求項１に記載の方法。
【請求項９】
前記第１ＰＲＢの集約ＣＳＩ−ＲＳリソースの前記少なくとも四つのグループおよび前記第２ＰＲＢの集約ＣＳＩ−ＲＳリソースの前記少なくとも三つのグループのそれぞれの前記４個のアンテナポートに亘って、４直交カバーコード（ＯＣＣ）分の長さが用いられる請求項８に記載の方法。
【請求項１０】
無線デバイスにおいて用いられる、チャネル状態情報参照信号（ＣＳＩ−ＲＳ）を受信する方法であって、前記方法は、
ある数ＭのＣＳＩ−ＲＳポートを受信することであって、前記Ｍ個のポートのうちの一部は第１物理リソースブロック（ＰＲＢ）を介して受信され、前記Ｍ個のポートのうちの残りは第２ＰＲＢを介して受信される、受信すること（２５１２）と、
前記受信されたＣＳＩ−ＲＳポートのチャネルを測定することで、有効チャネルを推定する（２５１４）ことと、
測定チャネル状態情報をネットワークノード（１２０）に送信すること（２５１６）と、を含み、
Ｍが１６よりも大きく、
前記第１ＰＲＢと前記第２ＰＲＢとは隣接しており、
前記Ｍ個のＣＳＩ−ＲＳポートが無線サブフレームのリソース要素にマッピングされ、前記Ｍ個のポートのうちの一部が前記サブフレームの前記第１ＰＲＢにマッピングされ、前記Ｍ個のポートのうちの残りが前記サブフレームの前記第２ＰＲＢにマッピングされ、
前記無線サブフレームのリソース要素が複数の集約ＣＳＩ−ＲＳリソースへとグループ化され、
各集約ＣＳＩ−ＲＳリソースがＰＲＢごとにＮｐｏｒｔｓＣＳＩ個のリソース要素を含み、ＮｐｏｒｔｓＣＳＩが２、４または８であり、
前記複数の集約ＣＳＩ−ＲＳリソースのうちの複数個を合成することで前記Ｍ個のＣＳＩ−ＲＳポートが伝送され、
各集約ＣＳＩ−ＲＳリソース内で運ばれるアンテナポートの数（Ｑ）がＮｐｏｒｔｓＣＳＩの整数倍であり、
各集約ＣＳＩ−ＲＳリソース内のＱ個のポートの伝送は、当該集約ＣＳＩ−ＲＳリソース内の隣接する前記第１ＰＲＢおよび前記第２ＰＲＢに亘って直交カバーコードを適用することによって達成される方法。
【請求項１１】
前記第１ＰＲＢがサブフレームの奇数番目ＰＲＢであり、前記第２ＰＲＢが前記サブフレームの偶数番目ＰＲＢである請求項１０に記載の方法。
【請求項１２】
チャネル状態情報参照信号（ＣＳＩ−ＲＳ）（１３５）を送信するよう動作可能なネットワークノード（１２０）であって、前記ネットワークノードが処理回路（２７００）を備え、前記処理回路が、
Ｍ個のＣＳＩ−ＲＳポートを無線デバイス（１１０）へ送信することであって、前記Ｍ個のポートのうちの一部が第１物理リソースブロック（ＰＲＢ）（１６）を介して送信され、前記Ｍ個のポートのうちの残りが第２ＰＲＢ（１６）を介して送信される、送信することと、
前記送信されたＣＳＩ−ＲＳポートのうちのひとつ以上に基づく測定チャネル状態情報を、前記無線デバイス（１１０）から、受信することと、を行うよう動作可能であり、
Ｍが１６よりも大きく、
前記第１ＰＲＢと前記第２ＰＲＢとは隣接しており、
前記処理回路はさらに、
前記Ｍ個のＣＳＩ−ＲＳポートを無線サブフレーム（１０）のリソース要素（１２）にマッピングすることであって、前記Ｍ個のポートのうちの一部が前記サブフレームの前記第１ＰＲＢ（１６）にマッピングされ、前記Ｍ個のポートのうちの残りが前記サブフレームの前記第２ＰＲＢ（１６）にマッピングされる、マッピングすることを行うよう動作可能であり、
前記マッピングすることは、
前記無線サブフレームのリソース要素を複数の集約ＣＳＩ−ＲＳリソースへとグループ化することであって、各集約ＣＳＩ−ＲＳリソースがＰＲＢごとにＮｐｏｒｔｓＣＳＩ個のリソース要素を含み、ＮｐｏｒｔｓＣＳＩが２、４または８である、グループ化することと、
前記複数の集約ＣＳＩ−ＲＳリソースのうちの複数個を合成することで前記Ｍ個のＣＳＩ−ＲＳポートを運ぶことであって、各集約ＣＳＩ−ＲＳリソース内で運ばれるアンテナポートの数（Ｑ）がＮｐｏｒｔｓＣＳＩの整数倍である、運ぶことと、を含み、
各集約ＣＳＩ−ＲＳリソース内のＱ個のポートの伝送は、当該集約ＣＳＩ−ＲＳリソース内の隣接する前記第１ＰＲＢおよび前記第２ＰＲＢに亘って直交カバーコードを適用することによって達成されるネットワークノード。
【請求項１３】
前記第１ＰＲＢがサブフレームの奇数番目ＰＲＢであり、前記第２ＰＲＢが前記サブフレームの偶数番目ＰＲＢである請求項１２に記載のネットワークノード。
【請求項１４】
チャネル状態情報参照信号（ＣＳＩ−ＲＳ）（１３５）を受信するよう動作可能な無線デバイス（１１０）であって、前記無線デバイスが処理回路（２６００）を備え、前記処理回路が、
ある数ＭのＣＳＩ−ＲＳポートを受信することであって、前記Ｍ個のポートのうちの一部は第１物理リソースブロック（ＰＲＢ）（１６）を介して受信され、前記Ｍ個のポートのうちの残りは第２ＰＲＢ（１６）を介して受信される、受信することと、
前記受信されたＣＳＩ−ＲＳポートのチャネルを測定することで、有効チャネルを推定することと、
測定チャネル状態情報をネットワークノード（１２０）に送信することと、を行うよう動作可能であり、
Ｍが１６よりも大きく、
前記第１ＰＲＢと前記第２ＰＲＢとは隣接しており、
前記Ｍ個のＣＳＩ−ＲＳポートが無線サブフレーム（１０）のリソース要素（１２）にマッピングされ、前記Ｍ個のポートのうちの一部が前記サブフレームの前記第１ＰＲＢ（１６）にマッピングされ、前記Ｍ個のポートのうちの残りが前記サブフレームの前記第２ＰＲＢ（１６）にマッピングされ、
前記無線サブフレームのリソース要素が複数の集約ＣＳＩ−ＲＳリソースへとグループ化され、
各集約ＣＳＩ−ＲＳリソースがＰＲＢごとにＮｐｏｒｔｓＣＳＩ個のリソース要素を含み、ＮｐｏｒｔｓＣＳＩが２、４または８であり、
前記複数の集約ＣＳＩ−ＲＳリソースのうちの複数個を合成することで前記Ｍ個のＣＳＩ−ＲＳポートが伝送され、
各集約ＣＳＩ−ＲＳリソース内で運ばれるアンテナポートの数（Ｑ）がＮｐｏｒｔｓＣＳＩの整数倍であり、
各集約ＣＳＩ−ＲＳリソース内のＱ個のポートの伝送は、当該集約ＣＳＩ−ＲＳリソース内の隣接する前記第１ＰＲＢおよび前記第２ＰＲＢに亘って直交カバーコードを適用することによって達成される無線デバイス。
【請求項１５】
前記第１ＰＲＢがサブフレームの奇数番目ＰＲＢであり、前記第２ＰＲＢが前記サブフレームの偶数番目ＰＲＢである請求項１４に記載の無線デバイス。
【外国語明細書】
2020115655000001.pdf